(57)【要約】      （修正有）【課題】異なる無線アクセス技術に基づいて作動するネットワークユニットおよび関連するワイヤレス通信装置を提供する。【解決手段】ワイヤレス通信システムにおいて、第１のＲＡＴのネットワークユニット２０は、第２のＲＡＴの周波数チャネルより高い第１のＲＡＴの周波数チャネルでＤＬキャリアを送信するように設定される。それに応じて、ワイヤレス通信装置１０−１は、第１のＲＡＴの周波数チャネルの第１のＲＡＴのＤＬキャリアを受信し復調する。ワイヤレス通信装置１０−１は、第２のＲＡＴのアップリンク周波数チャネルとオーバラップするアップリンク周波数チャネルで第１のＲＡＴのＵＬキャリアを送信するように設定され、それに応じて、ネットワークユニット２０は、第２のＲＡＴのアップリンク周波数チャネルとオーバラップするアップリンク周波数チャネルで第１のＲＡＴのアップリンク（ＵＬ）キャリアを受信し復調する。【選択図】図１
2020113996.tif 000002
【特許請求の範囲】
【請求項１】
ワイヤレス通信システムの動作のために設定されるワイヤレス通信装置（１０，１００，３００）であって、
前記ワイヤレス通信装置（１０，１００，３００）は、第１の無線アクセス技術（ＲＡＴ）のアップリンク（ＵＬ）キャリアによって設定され、
前記ワイヤレス通信装置（１０，１００，３００）は、前記第１のＲＡＴのダウンリンク（ＤＬ）キャリアによって設定され、
前記ワイヤレス通信装置（１０，１００，３００）は、第２のＲＡＴの前記アップリンク周波数チャネルとオーバラップするアップリンク周波数チャネルで前記第１のＲＡＴの前記ＵＬキャリアを送信するように設定され、
前記ワイヤレス通信装置（１０，１００，３００）は、前記第２のＲＡＴの前記周波数チャネルより高い前記第１のＲＡＴの周波数チャネルの前記第１のＲＡＴの前記ＤＬキャリアを受信し、復調および／または復号するように設定される、
ワイヤレス通信装置（１０，１００，３００）。
【請求項２】
前記ワイヤレス通信装置（１０，１００，３００）は、前記第２のＲＡＴの前記アップリンク周波数チャネルとオーバラップする前記アップリンク周波数チャネルで前記第１のＲＡＴの前記ＵＬキャリアのアップリンク（ＵＬ）制御チャネルにおいてアップリンク制御情報を送信するように設定される、請求項１に記載のワイヤレス通信装置。
【請求項３】
前記アップリンク制御情報は、前記ＤＬキャリアに関連している、請求項２に記載のワイヤレス通信装置。
【請求項４】
前記第１のＲＡＴは５ＧまたはＮＸのＲＡＴであり、および／または前記第２のＲＡＴはＬｏｎｇ  Ｔｅｒｍ  Ｅｖｏｌｕｔｉｏｎ（ＬＴＥ）に基づくＲＡＴである、請求項１から３のいずれか一項に記載のワイヤレス通信装置。
【請求項５】
前記ワイヤレス通信装置（１０，１００，３００）は、前記第２のＲＡＴの前記アップリンク周波数チャネルの少なくとも１つの特定の部分で前記第１のＲＡＴの前記ＵＬキャリアを送信するように設定される、請求項１から４のいずれか一項に記載のワイヤレス通信装置。
【請求項６】
前記ワイヤレス通信装置（１０，１００，３００）は、前記第２のＲＡＴの前記アップリンク周波数チャネルの少なくとも１つのガード帯域で前記第１のＲＡＴの前記ＵＬキャリアを送信するように設定される、請求項５に記載のワイヤレス通信装置。
【請求項７】
前記ワイヤレス通信装置（１０，１００，３００）は、前記周波数チャネルの前記送信帯域幅内部の前記第２のＲＡＴの前記アップリンク周波数チャネルの少なくとも１つの専用の部分で前記第１のＲＡＴの前記ＵＬキャリアを送信するように設定される、請求項５または６に記載のワイヤレス通信装置。
【請求項８】
前記ワイヤレス通信装置（１０，１００，３００）は、前記第２のＲＡＴの前記アップリンク周波数チャネルの前記少なくとも１つの特定の部分を示していて前記周波数チャネルの前記少なくとも１つの特定の部分で前記第１のＲＡＴの前記ＵＬキャリアの送信のための前記ワイヤレス通信装置の設定を可能にする設定情報を受信するように設定される、請求項５から７のいずれか一項に記載のワイヤレス通信装置。
【請求項９】
前記ワイヤレス通信装置（１０，１００，３００）は、デュアルコネクティビティまたはマルチコネクティビティ手順に基づいて、前記第２のＲＡＴのＤＬキャリアおよび／またはＵＬキャリアでも設定される、請求項１から８のいずれか一項に記載のワイヤレス通信装置。
【請求項１０】
前記ワイヤレス通信装置（１０，１００，３００）は、プロセッサ（１１０，３１０）およびメモリ（１２０，３２０）を含み、前記メモリは前記プロセッサによって実行可能な命令を含み、それによって、前記プロセッサは前記ワイヤレス通信装置の前記動作を可能にするために動作する、請求項１から９のいずれか一項に記載のワイヤレス通信装置。
【請求項１１】
ワイヤレス通信システムのワイヤレス通信装置（１０，１００，３００）を作動させる方法であって、前記方法は、
−  第１の無線アクセス技術（ＲＡＴ）のダウンリンク（ＤＬ）キャリアのダウンリンク（ＤＬ）シグナリングを、第２のＲＡＴの周波数チャネルより高い前記第１のＲＡＴの周波数チャネルで受信し、復調および／または復号すること（Ｓ１）と、
−  前記第１のＲＡＴのアップリンク（ＵＬ）キャリアにおける送信のためのアップリンク（ＵＬ）シグナリングを準備すること（Ｓ２）と、
−  前記第２のＲＡＴの前記アップリンク周波数チャネルとオーバラップするアップリンク周波数チャネルで前記第１のＲＡＴの前記ＵＬキャリアの前記ＵＬシグナリングを送信すること（Ｓ３）と
を含む方法。
【請求項１２】
アップリンク制御情報は、前記第２のＲＡＴの前記アップリンク周波数チャネルとオーバラップする前記アップリンク周波数チャネルにおいて前記第１のＲＡＴの前記ＵＬキャリアのアップリンク（ＵＬ）制御チャネルで送信される、請求項１１に記載の方法。
【請求項１３】
前記アップリンク制御情報は、前記ＤＬキャリアに関連している、請求項１２に記載の方法。
【請求項１４】
前記第１のＲＡＴは５ＧまたはＮＸのＲＡＴであり、および／または前記第２のＲＡＴはＬｏｎｇ  Ｔｅｒｍ  Ｅｖｏｌｕｔｉｏｎ（ＬＴＥ）に基づくＲＡＴである、請求項１１から１３のいずれか一項に記載の方法。
【請求項１５】
前記第１のＲＡＴの前記ＵＬキャリアは、前記第２のＲＡＴの前記アップリンク周波数チャネルの少なくとも１つの特定の部分で送信される、請求項１１から１４のいずれか一項に記載の方法。
【請求項１６】
前記第１のＲＡＴの前記ＵＬキャリアは、前記第２のＲＡＴの前記アップリンク周波数チャネルの少なくとも１つのガード帯域で送信される、請求項１５に記載の方法。
【請求項１７】
前記第１のＲＡＴの前記ＵＬキャリアは、前記周波数チャネルの前記送信帯域幅内で、前記第２のＲＡＴの前記アップリンク周波数チャネルの少なくとも１つの専用の部分で送信される、請求項１５または１６に記載の方法。
【請求項１８】
前記ワイヤレス通信装置（１０，１００，３００）はまた、前記第２のＲＡＴの前記アップリンク周波数チャネルの前記少なくとも１つの特定の部分を示していて前記周波数チャネルの前記少なくとも１つの特定の部分で前記第１のＲＡＴの前記ＵＬキャリアの送信のための前記ワイヤレス通信装置の設定を可能にする設定情報を受信する、請求項１５から１７のいずれか一項に記載の方法。
【請求項１９】
前記第２のＲＡＴの前記アップリンク周波数チャネルの少なくとも一部は、前記第１のＲＡＴと前記第２のＲＡＴの間で時間多重方式により共有される、請求項１１から１８のいずれか一項に記載の方法。
【請求項２０】
ワイヤレス通信システムの動作のために設定されるネットワークユニット（２０，２００，３００）であって、
前記ネットワークユニット（２０，２００，３００）は、第１の無線アクセス技術（ＲＡＴ）の基地局であり、
前記ネットワークユニット（２０，２００，３００）は、第２のＲＡＴのアップリンク周波数チャネルとオーバラップするアップリンク周波数チャネルで前記第１のＲＡＴのアップリンク（ＵＬ）キャリアを受信し、復調および／または復号するように設定され、
前記ネットワークユニット（２０，２００，３００）は、前記第２のＲＡＴの前記周波数チャネルより高い前記第１のＲＡＴの周波数チャネルで前記第１のＲＡＴのダウンリンク（ＤＬ）キャリアを送信するように設定される、
ネットワークユニット（２０，２００，３００）。
【請求項２１】
ワイヤレス通信システムの動作のために設定されるネットワークユニット（３０，２００，３００）であって、
前記ネットワークユニット（３０，２００，３００）は、第２の無線アクセス技術（ＲＡＴ）の基地局であり、
前記ネットワークユニット（３０，２００，３００）は、前記第２のＲＡＴのアップリンク周波数チャネルとオーバラップするアップリンク周波数チャネルで第１のＲＡＴのアップリンク（ＵＬ）キャリアを受信し、復調および／または復号するように設定され、
前記ネットワークユニット（３０，２００，３００）は、前記第１のＲＡＴの前記アップリンク（ＵＬ）キャリアに関連した情報を前記第１のＲＡＴの基地局に転送するようにさらに設定される、
ネットワークユニット（３０，２００，３００）。
【請求項２２】
前記ネットワークユニット（２０，３０，２００，３００）は、前記第２のＲＡＴの前記アップリンク周波数チャネルとオーバラップする前記アップリンク周波数チャネルの前記第１のＲＡＴの前記ＵＬキャリアのアップリンク（ＵＬ）制御チャネルでアップリンク制御情報を受信し、復調および／または復号するように設定される、請求項２０または２１に記載のネットワークユニット。
【請求項２３】
前記アップリンク制御情報は、前記第１のＲＡＴのＤＬキャリアに関連している、請求項２２に記載のネットワークユニット。
【請求項２４】
前記第１のＲＡＴは５ＧまたはＮＸのＲＡＴであり、および／または前記第２のＲＡＴはＬｏｎｇ  Ｔｅｒｍ  Ｅｖｏｌｕｔｉｏｎ（ＬＴＥ）に基づくＲＡＴである、請求項２０から２３のいずれか一項に記載のネットワークユニット。
【請求項２５】
前記ネットワークユニット（２０，３０，２００，３００）は、前記第２のＲＡＴの前記アップリンク周波数チャネルの少なくとも１つの特定の部分で前記第１のＲＡＴの前記ＵＬキャリアを受信し、復調および／または復号するように設定される、請求項２０から２４のいずれか一項に記載のネットワークユニット。
【請求項２６】
前記ネットワークユニット（２０，３０，２００，３００）は、前記第２のＲＡＴの前記アップリンク周波数チャネルの少なくとも１つのガード帯域で前記第１のＲＡＴの前記ＵＬキャリアを受信し、復調および／または復号するように設定される、請求項２５に記載のネットワークユニット。
【請求項２７】
前記ネットワークユニット（２０，３０，２００，３００）は、前記周波数チャネルの前記送信帯域幅内の前記第２のＲＡＴの前記アップリンク周波数チャネルの少なくとも１つの専用の部分で前記第１のＲＡＴの前記ＵＬキャリアを受信し、復調および／または復号するように設定される、請求項２５または２６に記載のネットワークユニット。
【請求項２８】
前記ネットワークユニット（２０，３０，２００，３００）は、前記第２のＲＡＴの前記アップリンク周波数チャネルの前記少なくとも１つの特定の部分を示している設定情報を、少なくとも１つの関連するワイヤレス通信装置に送信して、前記周波数チャネルの前記少なくとも１つの特定の部分での前記第１のＲＡＴの前記ＵＬキャリアの送信のために前記ワイヤレス通信装置（複数可）の設定を可能にするように設定される、請求項２５から２７のいずれか一項に記載のネットワークユニット。
【請求項２９】
前記ネットワークユニット（２０，３０，２００，３００）は、プロセッサ（２１０，３１０）およびメモリ（２２０，３２０）を含み、前記メモリは前記プロセッサによって実行可能な命令を含み、それによって、前記プロセッサは前記ネットワークユニットの前記動作を可能にするために動作する、請求項２０から２８のいずれか一項に記載のネットワークユニット。
【請求項３０】
ワイヤレス通信システムのネットワークユニット（２０，２００，３００）を作動させる方法であって、前記ネットワークユニットは第１の無線アクセス技術（ＲＡＴ）の基地局であり、前記方法は、
−  第２のＲＡＴのアップリンク周波数チャネルとオーバラップするアップリンク周波数チャネルで前記第１のＲＡＴのアップリンク（ＵＬ）キャリアを受信し、復調および／または復号すること（Ｓ１１）と、
−  前記第２のＲＡＴの前記周波数チャネルより高い前記第１のＲＡＴの周波数チャネルで前記第１のＲＡＴのダウンリンク（ＤＬ）キャリアを送信すること（Ｓ１２）と
を含む方法。
【請求項３１】
ワイヤレス通信システムのネットワークユニット（３０，２００，３００）を作動させる方法であって、前記ネットワークユニットは第２の無線アクセス技術（ＲＡＴ）の基地局であり、前記方法は、
−  前記第２のＲＡＴのアップリンク周波数チャネルとオーバラップするアップリンク周波数チャネルで第１のＲＡＴのアップリンク（ＵＬ）キャリアを受信し、復調および／または復号すること（Ｓ２１）と、
−  前記第１のＲＡＴの前記アップリンク（ＵＬ）キャリアに関連した情報を前記第１のＲＡＴの基地局に転送すること（Ｓ２２）と
を含む方法。
【請求項３２】
アップリンク制御情報は、前記第２のＲＡＴの前記アップリンク周波数チャネルとオーバラップする前記アップリンク周波数チャネルで前記第１のＲＡＴの前記ＵＬキャリアのアップリンク（ＵＬ）制御チャネルで受信され、復調および／または復号される、請求項３０または３１に記載の方法。
【請求項３３】
前記アップリンク制御情報は、前記第１のＲＡＴのＤＬキャリアに関連している、請求項３２に記載の方法。
【請求項３４】
前記第１のＲＡＴは５ＧまたはＮＸのＲＡＴであり、および／または前記第２のＲＡＴはＬｏｎｇ  Ｔｅｒｍ  Ｅｖｏｌｕｔｉｏｎ（ＬＴＥ）に基づくＲＡＴである、請求項３０から３３のいずれか一項に記載の方法。
【請求項３５】
前記第１のＲＡＴの前記ＵＬキャリアは、前記第２のＲＡＴの前記アップリンク周波数チャネルの少なくとも１つの特定の部分で受信され、復調および／または復号される、請求項３０から３４のいずれか一項に記載の方法。
【請求項３６】
前記第１のＲＡＴの前記ＵＬキャリアは、前記第２のＲＡＴの前記アップリンク周波数チャネルの少なくとも１つのガード帯域で受信され、復調および／または復号される、請求項３５に記載の方法。
【請求項３７】
前記第１のＲＡＴの前記ＵＬキャリアは、前記周波数チャネルの前記送信帯域幅内で、前記第２のＲＡＴの前記アップリンク周波数チャネルの少なくとも１つの専用の部分で受信され、復調および／または復号される、請求項３５または３６に記載の方法。
【請求項３８】
前記第２のＲＡＴの前記アップリンク周波数チャネルの前記少なくとも１つの特定の部分を示している設定情報は、少なくとも１つの関連するワイヤレス通信装置に送信されて、前記アップリンク周波数チャネルの前記少なくとも１つの特定の部分での前記第１のＲＡＴの前記ＵＬキャリアの送信のための前記ワイヤレス通信装置（複数可）の設定を可能にする、請求項３０から３７のいずれか一項に記載の方法。
【請求項３９】
ワイヤレス通信システムの無線通信のための時間および／または周波数リソースの管理を実行するように設定されるネットワークユニット（２０，３０，４０，２００，３００）であって、
前記ネットワークユニット（２０，３０，４０，２００，３００）は、第１の無線アクセス技術（ＲＡＴ）のアップリンクチャネルと第２のＲＡＴのアップリンクチャネルとの間のアップリンク周波数チャネルの時間および／または周波数リソース分割を決定するように設定される、
ネットワークユニット（２０，３０，４０，２００，３００）。
【請求項４０】
前記第１のＲＡＴは５ＧまたはＮＸのＲＡＴであり、および／または前記第２のＲＡＴはＬｏｎｇ  Ｔｅｒｍ  Ｅｖｏｌｕｔｉｏｎ（ＬＴＥ）ベースのＲＡＴである、請求項３９に記載のネットワークユニット。
【請求項４１】
前記ネットワークユニット（２０，３０，４０，２００，３００）は、前記第１のＲＡＴのアップリンク制御チャネルと前記第２のＲＡＴの１つまたは複数のアップリンクチャネルとの間の前記アップリンク周波数チャネルの、前記時間および／または周波数リソース分割を決定するように設定される、請求項３９または４０に記載のネットワークユニット。
【請求項４２】
前記ネットワークユニット（２０，３０，４０，２００，３００）は、前記リソース分割のネゴシエーションに関与するように設定される、請求項３９から４１のいずれか一項に記載のネットワークユニット。
【請求項４３】
前記ネットワークユニット（２０，２００，３００）は、前記第１のＲＡＴに基づいた動作のために設定され、前記決定されたリソース分割に関する情報を前記第２のＲＡＴのネットワークユニットに送信するように設定され、前記アップリンク周波数チャネルの前記決定されたリソース分割を受け入れる前記第２のＲＡＴの前記ネットワークユニットから肯定応答を受信するように設定される、請求項３９から４２のいずれか一項に記載のネットワークユニット。
【請求項４４】
前記ネットワークユニットは５ＧまたはＮＸの基地局（２０，２００，３００）である、請求項４３に記載のネットワークユニット。
【請求項４５】
前記ネットワークユニット（３０，２００，３００）は、前記第２のＲＡＴに基づいた動作のために設定され、前記決定されたリソース分割に関する情報を前記第１のＲＡＴのネットワークユニットに送信するように設定され、前記アップリンク周波数チャネルの前記決定されたリソース分割を受け入れる前記第１のＲＡＴの前記ネットワークユニットから肯定応答を受信するように設定される、請求項３９から４２のいずれか一項に記載のネットワークユニット。
【請求項４６】
前記ネットワークユニットは、ＬＴＥ基地局（３０，２００，３００）である、請求項４５に記載のネットワークユニット。
【請求項４７】
前記ネットワークユニット（２０，３０，４０，２００，３００）は、前記アップリンク周波数チャネルの前記決定されたリソース分割に基づいて関連するワイヤレス通信装置を設定するように適合される、請求項３９から４６のいずれか一項に記載のネットワークユニット。
【請求項４８】
前記ネットワークユニット（４０，２００，３００）は、前記第１のＲＡＴの基地局（２０）および／または前記第２のＲＡＴの基地局（３０）に前記アップリンク周波数チャネルの前記決定されたリソース分割を知らせて、前記決定されたリソース分割に基づいて前記第１のＲＡＴの前記基地局および／または前記第２のＲＡＴの前記基地局と関連したワイヤレス通信装置の設定を可能にするように設定される、請求項３９から４７のいずれか一項に記載のネットワークユニット。
【請求項４９】
ワイヤレス通信システムの無線通信のための時間および／または周波数リソースの管理のための方法であって、
前記方法は、第１の無線アクセス技術（ＲＡＴ）のアップリンクチャネルと第２のＲＡＴのアップリンクチャネルとの間のアップリンク周波数チャネルの時間および／または周波数リソース分割を決定すること（Ｓ３１）を含む、
方法。
【請求項５０】
前記第１のＲＡＴは５ＧまたはＮＸのＲＡＴであり、および／または前記第２のＲＡＴはＬｏｎｇ  Ｔｅｒｍ  Ｅｖｏｌｕｔｉｏｎ（ＬＴＥ）ベースのＲＡＴである、請求項４９に記載の方法。
【請求項５１】
前記決定するステップは、前記第１のＲＡＴのアップリンク制御チャネルと前記第２のＲＡＴの１つまたは複数のアップリンクチャネルとの間の前記アップリンク周波数チャネルの前記時間および／または周波数リソース分割を決定することを含む、請求項４９または５０に記載の方法。
【請求項５２】
時間および／または周波数リソース分割を決定する前記ステップは、前記第１のＲＡＴのネットワークユニットと前記第２のＲＡＴのネットワークユニットとの間のネゴシエーションの一部である、請求項４９から５１のいずれか一項に記載の方法。
【請求項５３】
前記方法は、前記第１のＲＡＴの前記ネットワークユニットによって実行され、前記ネットワークユニットは、前記第２のＲＡＴのネットワークノードに前記決定されたリソース分割に関する情報を送信し、前記アップリンク周波数チャネルの前記決定されたリソース分割を受け入れる前記第２のＲＡＴの前記ネットワークユニットからの肯定応答を受信する、請求項４９から５２のいずれか一項に記載の方法。
【請求項５４】
前記方法は、前記第２のＲＡＴの前記ネットワークユニットによって実行され、前記ネットワークユニットは、前記第１のＲＡＴのネットワークノードに前記決定されたリソース分割に関する情報を送信し、前記アップリンク周波数チャネルの前記決定されたリソース分割を受け入れる前記第１のＲＡＴの前記ネットワークユニットからの肯定応答を受信する、請求項４９から５２のいずれか一項に記載の方法。
【請求項５５】
ワイヤレス通信装置は、前記アップリンク周波数チャネルの前記決定されたリソース分割に基づいて設定される、請求項４９から５４のいずれか一項に記載の方法。
【請求項５６】
前記方法は、ネットワークユニットによって実行され、前記ネットワークユニットは、前記第１のＲＡＴの基地局および／または前記第２のＲＡＴの基地局に前記アップリンク周波数チャネルの前記決定されたリソース分割を知らせて、前記決定されたリソース分割に基づいて前記第１のＲＡＴの前記基地局および／または前記第２のＲＡＴの前記基地局と関連したワイヤレス通信装置の設定を可能にする、請求項４９から５５のいずれか一項に記載の方法。
【請求項５７】
命令を含むコンピュータプログラム（３２５，３３５）であって、前記命令は、少なくとも１つのプロセッサによって実行されると、前記少なくとも１つのプロセッサに、
−  ワイヤレス通信装置（１０）の設定（複数可）を、前記ワイヤレス通信装置が第１の無線アクセス技術（ＲＡＴ）のアップリンク（ＵＬ）キャリアで、第２のＲＡＴのアップリンク周波数チャネルとオーバラップするアップリンク周波数チャネルでの前記ＵＬキャリアの送信のために設定されるように遂行させ、
−  前記ワイヤレス通信装置（１０）の設定（複数可）を、前記ワイヤレス通信装置が前記第１のＲＡＴのダウンリンク（ＤＬ）キャリアで、前記第２のＲＡＴの前記周波数チャネルより高い前記第１のＲＡＴの周波数チャネルでの前記ＤＬキャリアの受信ならびに復調および／または復号のために設定されるように遂行させる、コンピュータプログラム（３２５，３３５）。
【請求項５８】
命令を含むコンピュータプログラム（３２５，３３５）であって、前記命令は、少なくとも１つのプロセッサによって実行されると、前記少なくとも１つのプロセッサに、
−  ネットワークユニット（２０，３０）の設定（複数可）を、前記ネットワークユニットが第２の無線アクセス技術（ＲＡＴ）のアップリンク周波数チャネルとオーバラップするアップリンク周波数チャネルでの第１のＲＡＴのアップリンク（ＵＬ）キャリアの受信ならびに復調および／または復号のために設定されるように遂行させる、コンピュータプログラム（３２５，３３５）。
【請求項５９】
少なくとも１つのプロセッサによって実行されると、第１の無線アクセス技術（ＲＡＴ）のアップリンクチャネルと第２のＲＡＴのアップリンクチャネルとの間のアップリンク周波数チャネルの時間および／または周波数リソース分割を前記少なくとも１つのプロセッサに決定させる命令を含む、コンピュータプログラム（３２５，３３５）。
【請求項６０】
請求項５７から５９のいずれか一項に記載のコンピュータプログラム（３２５，３３５）を格納したコンピュータ可読媒体（３２０，３３０）を含む、コンピュータプログラム製品。
【請求項６１】
ワイヤレス通信装置の動作（複数可）を制御するための装置（４００）であって、
−  前記ワイヤレス通信装置が第１の無線アクセス技術（ＲＡＴ）のアップリンク（ＵＬ）キャリアで、第２のＲＡＴのアップリンク周波数チャネルとオーバラップするアップリンク周波数チャネルでの前記ＵＬキャリアの送信のために設定されるように前記ワイヤレス通信装置の設定（複数可）を遂行するための、アップリンク（ＵＬ）設定モジュール（４１０）と、
−  前記ワイヤレス通信装置が前記第１のＲＡＴのダウンリンク（ＤＬ）キャリアで、前記第２のＲＡＴの周波数チャネルより高い前記第１のＲＡＴの周波数チャネルでの前記ＤＬキャリアの受信ならびに復調および／または復号のために設定されるように前記ワイヤレス通信装置の設定（複数可）を遂行するための、ダウンリンク（ＤＬ）設定モジュール（４２０）と
を含む装置（４００）。
【請求項６２】
ワイヤレス通信システムのネットワークユニットの動作（複数可）を制御するための装置（５００）であって、第１の無線アクセス技術（ＲＡＴ）のアップリンク（ＵＬ）キャリアの、第２のＲＡＴのアップリンク周波数チャネルとオーバラップするアップリンク周波数チャネルでの受信ならびに復調および／または復号のために前記ネットワークユニットが設定されるように、ネットワークユニットの設定（複数可）を遂行するための、設定モジュール（５１０）を含む、装置（５００）。
【請求項６３】
ワイヤレス通信システムの無線通信のための時間および／または周波数リソースの管理のための装置（６００）であって、第１の無線アクセス技術（ＲＡＴ）のアップリンクチャネルと第２のＲＡＴのアップリンクチャネルとの間のアップリンク周波数チャネルの、時間および／または周波数リソース分割を決定するための決定モジュール（６１０）を含む、装置（６００）。
【発明の詳細な説明】
【技術分野】
【０００１】
提案される技術は、概して、ワイヤレス通信システムにおける動作のために設定されるワイヤレス通信装置およびワイヤレス通信装置を作動させる方法、ならびにワイヤレス通信システムにおける動作のために設定されるネットワークユニット（複数可）およびネットワークユニットを作動させる方法（複数可）、ならびにワイヤレス通信システムにおける無線通信のための時間および／または周波数リソースの管理を実行するように設定されるネットワークユニットおよび対応する方法ならびに対応するコンピュータプログラムおよびコンピュータプログラム製品および装置に関する。
【背景技術】
【０００２】
モバイルおよびワイヤレス通信技術は常に進化しており、ワイヤレス通信のための新規およびより高度な技術を導入している。既存のワイヤレス通信システムを基礎として、次世代モバイル通信技術は、いわゆるネットワーク化された社会のキーコンポーネントとなっていき、情報への実質的に無制限のアクセスを行い、いつでもどこでもデータを共有するというビジョンを実現することを助ける。
【０００３】
例えば、５Ｇは、モバイル通信の進化の重要なステップである。広範囲にわたる用途および使用ケースに対する接続性を可能にするために、次世代ワイヤレスアクセスの能力は、モバイル通信の前世代を超えて拡張しなければならない。おそらく、これは、新規な５Ｇの無線アクセス技術（ＮＸ（ＮｅＸｔ世代）とも呼ばれる）と組み合わせたＬｏｎｇ  Ｔｅｒｍ  Ｅｖｏｌｕｔｉｏｎ（ＬＴＥ）の継続的な開発によって実現されるであろう。キー技術コンポーネントは、例えば、より高い周波数帯域への拡張、発展型マルチアンテナ送信および／または柔軟なスペクトル使用を含むことができる。
【０００４】
しかしながら、これらのキー技術コンポーネントはどのように実装されるか、そして、新規な無線アクセス技術がどのようなものになるかはまだ明らかでない一方で、それでも既存のモバイルおよびワイヤレス通信システムと互換性を持つか少なくとも相互運用可能である。
【０００５】
事実、異なる無線アクセス技術の相互運用性および／またはインターワーキングは、全般として特に興味深い挑戦課題である。
【０００６】
したがってモバイルおよびワイヤレス通信技術の改良されたソリューションに対する全般的な要求が存在する。
【発明の概要】
【０００７】
ワイヤレス通信システムの動作のために設定されるワイヤレス通信装置を提供することが、１つの目的である。
【０００８】
ワイヤレス通信システムのワイヤレス通信装置を作動させる方法を提供することが、別の目的である。
【０００９】
ワイヤレス通信システムの動作のために設定されるネットワークユニット（複数可）を提供することも目的である。
【００１０】
別の目的は、ワイヤレス通信システムのネットワークユニットを作動させる方法（複数可）を提供することである。
【００１１】
さらに他の目的は、ワイヤレス通信システムの無線通信のための時間および／または周波数リソースの管理を実行するように設定されるネットワークユニットを提供することである。
【００１２】
さらに他の目的は、ワイヤレス通信システムの無線通信のための時間および／または周波数リソースの管理のための方法を提供することである。
【００１３】
対応するコンピュータプログラムおよびコンピュータプログラム製品を提供することも目的である。
【００１４】
さらに他の目的は、ワイヤレス通信装置の動作（複数可）を制御するための装置（複数可）を提供することである。
【００１５】
さらに他の目的は、ワイヤレス通信システムにおける無線通信のための時間および／または周波数リソースの管理のための装置を提供することである。
【００１６】
これらの、そしてまた他の目的は、提案される技術の実施形態によって達成される。
【００１７】
第１の態様によれば、ワイヤレス通信システムの動作のために設定されるワイヤレス通信装置が提供される。ワイヤレス通信装置は、第１の無線アクセス技術（ＲＡＴ）のアップリンク（ＵＬ）キャリアによって設定される。ワイヤレス通信装置は、第１のＲＡＴのダウンリンク（ＤＬ）キャリアによっても設定される。ワイヤレス通信装置は、第２のＲＡＴのアップリンク周波数チャネルとオーバラップするアップリンク周波数チャネルで第１のＲＡＴのＵＬキャリアを送信するようにさらに設定される。ワイヤレス通信装置は、第２のＲＡＴの周波数チャネルより高い第１のＲＡＴの周波数チャネルで第１のＲＡＴのＤＬキャリアを受信し、復調および／または復号するように設定される。
【００１８】
第２の態様によれば、ワイヤレス通信システムのワイヤレス通信装置を作動させる方法が提供される。方法は、第１の無線アクセス技術（ＲＡＴ）のダウンリンク（ＤＬ）キャリアのＤＬシグナリングを、第２のＲＡＴの周波数チャネルより高い第１のＲＡＴの周波数チャネルで受信し、復調および／または復号することを含む。方法はまた、第１のＲＡＴのアップリンク（ＵＬ）キャリアにおける送信のためのＵＬシグナリングを準備することと、第２のＲＡＴのアップリンク周波数チャネルとオーバラップするアップリンク周波数チャネルの第１のＲＡＴのＵＬキャリアでＵＬシグナリングを送信することとを含む。
【００１９】
第３の態様によれば、ワイヤレス通信システムの動作のために設定されるネットワークユニットが提供される。ネットワークユニットは第１の無線アクセス技術（ＲＡＴ）の基地局であり、ネットワークユニットは、第２のＲＡＴのアップリンク（ＵＬ）周波数チャネルとオーバラップするアップリンク周波数チャネルで第１のＲＡＴのＵＬキャリアを受信し、復調および／または復号するように設定される。ネットワークユニットは、第２のＲＡＴの周波数チャネルより高い第１のＲＡＴの周波数チャネルで第１のＲＡＴのダウンリンク（ＤＬ）キャリアを送信するように、さらに設定される。
【００２０】
第４の態様によれば、ワイヤレス通信システムの動作のために設定されるネットワークユニットが提供される。ネットワークユニットは第２の無線アクセス技術（ＲＡＴ）の基地局であり、ネットワークユニットは、第２のＲＡＴのアップリンク（ＵＬ）周波数チャネルとオーバラップするアップリンク周波数チャネルで第１のＲＡＴのＵＬキャリアを受信し、復調および／または復号するように設定される。ネットワークユニットは、第１のＲＡＴのアップリンク（ＵＬ）キャリアに関連した情報を第１のＲＡＴの基地局に転送するようにさらに設定される。
【００２１】
第５の態様によれば、ワイヤレス通信システムのネットワークユニットを作動させる方法が提供され、このネットワークユニットは第１の無線アクセス技術（ＲＡＴ）の基地局である。方法は、第２のＲＡＴのアップリンク（ＵＬ）周波数チャネルとオーバラップするアップリンク周波数チャネルで第１のＲＡＴのＵＬキャリアを受信し、復調および／または復号することと、第２のＲＡＴの周波数チャネルより高い第１のＲＡＴの周波数チャネルで第１のＲＡＴのダウンリンク（ＤＬ）キャリアを送信することと含む。
【００２２】
第６の態様によれば、ワイヤレス通信システムのネットワークユニットを作動させる方法が提供され、このネットワークユニットは第２の無線アクセス技術（ＲＡＴ）の基地局である。方法は、第２のＲＡＴのアップリンク（ＵＬ）周波数チャネルとオーバラップするアップリンク周波数チャネルで第１のＲＡＴのＵＬキャリアを受信し、復調および／または復号することと、第１のＲＡＴのアップリンク（ＵＬ）キャリアに関連した情報を第１のＲＡＴの基地局に転送することとを含む。
【００２３】
第７の態様によれば、ワイヤレス通信システムの無線通信のための時間および／または周波数リソースの管理を実行するように設定されるネットワークユニットが提供される。ネットワークユニットは、第１の無線アクセス技術（ＲＡＴ）のアップリンクチャネルと第２のＲＡＴのアップリンクチャネルとの間のアップリンク周波数チャネルの、時間および／または周波数リソース分割を決定するように設定される。
【００２４】
第８の態様によれば、ワイヤレス通信システムの無線通信のための時間および／または周波数リソースの管理のための方法が提供される。方法は、第１の無線アクセス技術（ＲＡＴ）のアップリンクチャネルと第２のＲＡＴのアップリンクチャネルとの間のアップリンク周波数チャネルの、時間および／または周波数リソース分割を決定することを含む。
【００２５】
第９の態様によれば、少なくとも１つのプロセッサによって実行されると、少なくとも１つのプロセッサに、
−  第２のＲＡＴのアップリンク周波数チャネルとオーバラップするアップリンク周波数チャネルでのＵＬキャリアの送信のために第１の無線アクセス技術（ＲＡＴ）のアップリンク（ＵＬ）キャリアでワイヤレス通信装置が設定されるように、ワイヤレス通信装置の設定（複数可）を遂行させ、
−  第２のＲＡＴの周波数チャネルより高い第１のＲＡＴの周波数チャネルのダウンリンク（ＤＬ）キャリアの受信ならびに復調および／または復号のために第１のＲＡＴのＤＬキャリアでワイヤレス通信装置が設定されるように、ワイヤレス通信装置の設定（複数可）を遂行させる命令を含む、コンピュータプログラムが提供される。
【００２６】
第１０の態様によれば、少なくとも１つのプロセッサによって実行されると、少なくとも１つのプロセッサに、
−  第２の無線アクセス技術（ＲＡＴ）のアップリンク周波数チャネルとオーバラップするアップリンク周波数チャネルでの第１のＲＡＴのアップリンク（ＵＬ）キャリアの受信ならびに復調および／または復号のためにネットワークユニットが設定されるように、ネットワークユニットの設定（複数可）を遂行させる命令を含む、コンピュータプログラムが提供される。
【００２７】
第１１の態様によれば、少なくとも１つのプロセッサによって実行されると、第１の無線アクセス技術（ＲＡＴ）のアップリンクチャネルと第２のＲＡＴのアップリンクチャネルとの間のアップリンク周波数チャネルの時間および／または周波数リソース分割を少なくとも１つのプロセッサに決定させる命令を含む、コンピュータプログラムが提供される。
【００２８】
第１２の態様によれば、第９から第１１の態様のいずれか１つによる、コンピュータプログラムを格納しているコンピュータ可読媒体を含むコンピュータプログラム製品が提供される。
【００２９】
第１３の態様によれば、ワイヤレス通信装置の動作（複数可）を制御するための装置が提供される。装置は、第２のＲＡＴのアップリンク周波数チャネルとオーバラップするアップリンク周波数チャネルのＵＬキャリアの送信のために、第１の無線アクセス技術（ＲＡＴ）のアップリンク（ＵＬ）キャリアでワイヤレス通信装置が設定されるようにワイヤレス通信装置の設定（複数可）を遂行するための、アップリンク（ＵＬ）設定モジュールを含む。装置はまた、第２のＲＡＴの周波数チャネルより高い第１のＲＡＴの周波数チャネルのＤＬキャリアの受信および復調および／または復号のために、第１のＲＡＴのダウンリンク（ＤＬ）キャリアでワイヤレス通信装置が設定されるようにワイヤレス通信装置の設定（複数可）を遂行するための、ダウンリンク（ＤＬ）設定モジュールを含む。
【００３０】
第１４の態様によれば、ワイヤレス通信システムのネットワークユニットにおける動作（複数可）を制御するための装置が提供される。装置は、第２の無線アクセス技術（ＲＡＴ）のアップリンク周波数チャネルとオーバラップするアップリンク周波数チャネルの第１のＲＡＴのアップリンク（ＵＬ）キャリアの受信ならびに復調および／または復号のためにネットワークユニットが設定されるようにネットワークユニットの設定（複数可）を遂行するための、設定モジュールを含む。
【００３１】
第１５の態様によれば、ワイヤレス通信システムの無線通信のための時間および／または周波数リソースの管理のための装置が提供される。装置は、第１の無線アクセス技術（ＲＡＴ）のアップリンクチャネルと第２のＲＡＴのアップリンクチャネルとの間のアップリンク周波数チャネルの、時間および／または周波数リソース分割を決定するための決定モジュールを含む。
【００３２】
提案される技術の実施形態は、異なる無線アクセス技術間の相互運用性を可能にし、その一方で、ユーザのための性能を改善することができる。例えば、提案される技術は、ワイヤレス通信デバイスが高周波送信機を備えている必要がない、および／またはより低い周波数で信頼性が高い制御シグナリングフィードバックをできるようにする、次世代シナリオを可能にする。
【００３３】
詳細な説明を読むことで、他の可能性のある利点が理解されよう。
【００３４】
実施形態は、そのさらなる目的および利点と共に、付随する図面とあわせてなされる以下の記述を参照することによって、最も良く理解することができる。
【図面の簡単な説明】
【００３５】
【図１】一実施形態によるワイヤレス通信システムの動作のために設定される異なる無線アクセス技術および関連するワイヤレス通信装置に基づいて作動するネットワークユニットを含む、ワイヤレス通信システムの実施例を図示する概略図である。
【図２】一実施形態による第１の無線アクセス技術および第２の無線アクセス技術によってアップリンクおよびダウンリンク通信のために使用する周波数チャネルの実施例を図示する概略図である。
【図３】ワイヤレス通信システムの通信のために使うことができる周波数チャネルの全体の構造および設定の実施例を図示する概略図である。
【図４】一実施形態によるワイヤレス通信システムの動作のために設定されるワイヤレス通信装置の実施例を図示する概略図である。
【図５】一実施形態による、関連するワイヤレス通信装置との通信を可能にするためのワイヤレス通信システムにおける動作のために設定される、ネットワークユニットの実施例を図示する概略図である。
【図６】一実施形態による、関連するワイヤレス通信装置との通信を可能にするためのワイヤレス通信システムにおける動作のために設定される、ネットワークユニットの別の実施例を図示する概略図である。
【図７】個別のネットワークユニットによって、または、異なるネットワークユニット間のネゴシエーションの一部として実行される、アップリンク周波数チャネルの時間および／または周波数リソース分割の判定、ならびに関連するワイヤレス通信装置の対応する設定の実施例を図示する概略図である。
【図８Ａ】アップリンク周波数チャネルの時間および／または周波数リソース分割のネゴシエーションの他の実施例を図示する概略図である。
【図８Ｂ】アップリンク周波数チャネルの時間および／または周波数リソース分割のネゴシエーションの他の実施例を図示する概略図である。
【図９】実施形態によるワイヤレス通信システムのワイヤレス通信装置を作動させる方法の実施例を図示する概略フロー図である。
【図１０】ワイヤレス通信システムのネットワークユニットを作動させる方法の実施例を図示する概略フロー図であり、このネットワークユニットは第１の無線アクセス技術の基地局である。
【図１１】ワイヤレス通信システムのネットワークユニットを作動させる方法の別の実施例を図示する概略フロー図であり、このネットワークユニットは第２の無線アクセス技術の基地局である。
【図１２】ワイヤレス通信システムの無線通信のための時間および／または周波数リソースの管理のための方法の実施例を図示する概略フロー図である。
【図１３】ＰＵＳＣＨおよびＰＵＣＣＨチャネルを伴うＬＴＥアップリンク周波数チャネルの時間／周波数グリッドの実施例を図示する概略図である。
【図１４】ＮＸアップリンクが実施形態によってどのようにＬＴＥ  ＵＬキャリアのガード帯域（複数可）において送信されるかという実施例を図示する概略図である。
【図１５】ＮＸアップリンクが実施形態によってどのようにＬＴＥ  ＵＬキャリアのガード帯域（複数可）において部分的に、そしてＬＴＥ送信帯域幅の範囲内でも部分的に送信されるかという実施例を図示する概略図である。
【図１６】ＮＸアップリンクが実施形態によってどのようにＬＴＥ送信帯域幅の範囲内で送信されるかという第１の実施例を図示する概略図である。
【図１７】ＮＸアップリンクが実施形態によってどのようにＬＴＥ送信帯域幅の範囲内で送信されるかという第２の実施例を図示する概略図である。
【図１８】ＮＸアップリンクが実施形態によってどのようにＬＴＥ送信帯域幅の範囲内で送信されるかという第３の実施例を図示する概略図である。
【図１９】実施形態によるワイヤレス通信装置の実施例を図示する概略ブロック図である。
【図２０】実施形態によるネットワークユニットの実施例を図示する概略ブロック図である。
【図２１】実施形態によるコンピュータ実装の実施例を図示する概略ブロック図である。
【図２２】実施形態によるワイヤレス通信装置の動作（複数可）を制御するための装置の実施例を図示する概略ブロック図である。
【図２３】実施形態によるワイヤレス通信システムのネットワークユニットの動作（複数可）を制御するための装置の実施例を図示する概略ブロック図である。
【図２４】実施形態によるワイヤレス通信システムの無線通信のための時間および／または周波数リソースの管理のための装置の実施例を図示する概略ブロック図である。
【発明を実施するための形態】
【００３６】
図面の全体にわたって、同じ参照符号が、類似であるか対応する要素に対して使われる。
【００３７】
本明細書において使用する場合、「ワイヤレス通信装置」という非限定的な用語は、ユーザ機器（ＵＥ：Ｕｓｅｒ  Ｅｑｕｉｐｍｅｎｔ）、移動局、移動端末、移動電話、携帯電話、無線通信能力を備えたパーソナル携帯情報機器（ＰＤＡ）、スマートフォン、内蔵または外付けの移動ブロードバンドモデムを備えたラップトップまたはパーソナルコンピュータ（ＰＣ）、無線通信能力を備えたタブレット、ターゲット装置、装置対装置ＵＥ、マシンタイプＵＥまたはマシン対マシン通信能力のあるＵＥ、カスタマ施設内機器（ＣＰＥ：Ｃｕｓｔｏｍｅｒ  Ｐｒｅｍｉｓｅｓ  Ｅｑｕｉｐｍｅｎｔ）、ラップトップ埋込機器（ＬＥＥ：Ｌａｐｔｏｐ  Ｅｍｂｅｄｄｅｄ  Ｅｑｕｉｐｍｅｎｔ）、ラップトップ搭載機器（ＬＭＥ：Ｌａｐｔｏｐ  Ｍｏｕｎｔｅｄ  Ｅｑｕｉｐｍｅｎｔ）、ＵＳＢドングル、携帯用電子無線通信装置、無線通信能力を備えたセンサデバイス、などを指すことができる。特に、「ワイヤレス通信装置」という用語は、ワイヤレス通信システムのネットワークノードと通信する、および／または、おそらく別のワイヤレス通信装置と直接通信する、任意のタイプのワイヤレス装置を含む非限定的な用語として解釈されるべきである。言い換えれば、ワイヤレス通信装置は、通信のためのいかなる関連した基準にも従ったワイヤレス通信のための回路を備えたいかなる装置でもあってもよい。
【００３８】
本明細書において使用する場合、「ネットワークユニット」という非限定的な用語は、ワイヤレス通信システムを管理し、および／または制御する際の、ならびに／またはそのことのための動作のために設定されるいかなるネットワークユニットも指すことができ、そして、ネットワークノード、例えば基地局、アクセスポイント、中継ノード、ネットワーク制御装置などのネットワーク制御ノード、無線ネットワーク制御装置、基地局制御装置、アクセス制御装置などを含む。
【００３９】
特に、「基地局」という用語は、ノードＢまたはエボルブドノードＢ（ｅＮＢ）などの標準化された基地局機能、および任意にはまた、マクロ／マイクロ／ピコ無線基地局、フェムト基地局としても知られているホーム基地局、中継ノード、中継器、無線アクセスポイント、さらに基地トランシーバ局（ＢＴＳ：Ｂａｓｅ  Ｔｒａｎｓｃｅｉｖｅｒ  Ｓｔａｔｉｏｎ）および１つまたは複数のリモートラジオユニット（ＲＲＵ：Ｒｅｍｏｔｅ  Ｒａｄｉｏ  Ｕｎｉｔ）を制御する無線制御ノードなどを含む異なるタイプの無線基地局を包含することができる。
【００４０】
「ネットワークユニット」という用語が、ワイヤレス通信ネットワークの特定の態様に関連して、および／またはその態様を制御および／または管理するために置かれるいかなる装置も指すことができ、ネットワークユニット、またはアクセスネットワーク、コアネットワークおよび類似のネットワーク構造の装置を含むがこれに限らないことも理解すべきである。ネットワーク装置という用語は、クラウドベースのネットワーク装置を含むこともできる。
【００４１】
一般に「無線アクセス技術」という非限定的な用語は、ワイヤレスネットワークの無線アクセスを提供し、および／またはサポートする基礎をなす技術に関する。例えば、「無線アクセス技術」という用語は、無線ベースの通信ネットワークのための基礎をなす物理的接続方法を指すことができる。例としては、Ｂｌｕｅｔｏｏｔｈ（登録商標）、Ｗｉ−Ｆｉ、３Ｇ、４ＧまたはＬｏｎｇ  Ｔｅｒｍ  Ｅｖｏｌｕｔｉｏｎ（ＬＴＥ）、そして、５ＧまたはＮｅｘｔ  Ｇｅｎｅｒａｔｉｏｎ（ＮＸ）を含むことができる。
【００４２】
「キャリア」という非限定的な用語は、無線媒体を通じて情報伝達することを可能にする構造を搬送するいかなる物理的および／または論理的情報も指すことができる。特に、「キャリア」という用語は、情報を搬送する無線信号（複数可）を指すことができる。例えば、キャリアは、所与の周波数または周波数チャネルで情報伝達するために、入力信号によって変調される波形とみなすことができる。
【００４３】
「周波数チャネル」という非限定的な用語は、無線送信および／または受信のために用いることができる無線周波数範囲の全体の特定の間隔を指すことができる。通常、動作帯域と呼ばれる所与の周波数範囲は、多くの周波数チャネルに分けられる。周波数チャネルは、独立した実体と考えることができて、異なるオペレータに属することができる。周波数チャネルは無線周波数範囲の全体の中の位置によって通常規定されて、チャネル帯域幅と呼ばれることがある、周波数チャネルのサイズを規定する帯域幅を有する。周波数チャネルは、通信のダウンリンクおよび／またはアップリンク方向において規定することができる。
【００４４】
「チャネル」という非限定的な用語は、所与の帯域幅を有する周波数チャネルを指すことができるが、おそらく制御情報および／またはユーザ情報のために専用の所与の周波数チャネルにおける動作のための構造を搬送する情報を指すこともできる。
【００４５】
図１は、一実施形態によるワイヤレス通信システムの動作のために設定される異なる無線アクセス技術および関連するワイヤレス通信装置に基づいて作動するネットワークユニットを含む、ワイヤレス通信システムの実施例を図示する概略図である。
【００４６】
この実施例では、ネットワークユニット２０は第１の無線アクセス技術（ＲＡＴ）に基づいて作動するように設定され、そして、ネットワークユニット３０は第２のＲＡＴに基づいて作動するように設定される。ワイヤレス通信システムはまた、ネットワークユニット２０、３０によってサーブされ、そして、ネットワークユニット２０、３０とのアップリンク（ＵＬ）および／またはダウンリンク（ＤＬ）通信のために設定される、ＵＥなどのワイヤレス通信装置１０−１、１０−２を含む。
【００４７】
ダウンリンク（ＤＬ）において、第１のＲＡＴのネットワークユニット２０は、第２のＲＡＴの周波数チャネルより高い第１のＲＡＴの周波数チャネルでＤＬキャリアを送信するように設定される。言い換えれば、第１のＲＡＴのＤＬキャリアは、第２のＲＡＴの動作周波数より高い周波数範囲において送信される。
【００４８】
それに応じて、ワイヤレス通信装置１０−１は、第２のＲＡＴの周波数チャネルより高い第１のＲＡＴの周波数チャネルの第１のＲＡＴのＤＬキャリアを受信し、復調および／または復号するように設定される。
【００４９】
アップリンク（ＵＬ）において、ワイヤレス通信装置１０−１は、第２のＲＡＴのアップリンク周波数チャネルとオーバラップするアップリンク周波数チャネルで第１のＲＡＴのＵＬキャリアを送信するように設定される。
【００５０】
それに応じて、ネットワークユニット２０は、第２のＲＡＴのアップリンク周波数チャネルとオーバラップするアップリンク周波数チャネルで第１のＲＡＴのアップリンク（ＵＬ）キャリアを受信し、復調および／または復号するように設定される。例えば、後ほど詳述するように、第１のＲＡＴは５ＧまたはＮＸのＲＡＴでもよく、そして、第２のＲＡＴはＬＴＥに基づくＲＡＴでもよい。
【００５１】
図２は、一実施形態による第１の無線アクセス技術および第２の無線アクセス技術によってアップリンクおよびダウンリンク通信のために使用する周波数チャネルの実施例を図示する概略図である。
【００５２】
この実施例では、第１のＲＡＴのＤＬ周波数チャネルが第２のＲＡＴのＤＬ周波数チャネル（そして、ＵＬ周波数チャネル）より高いことが分かる。第１のＲＡＴのＵＬ周波数チャネルが第２のＲＡＴのＵＬ周波数チャネルとオーバラップしていることも明白である。特定の実施例では、第１のＲＡＴのＵＬ周波数チャネルは、第２のＲＡＴのＵＬ周波数チャネルと同じであってさえよい。
【００５３】
一般に、より高い周波数では伝搬および／またはカバレッジの課題があり得る。
【００５４】
より高い周波数範囲でより厳しくなり得る伝搬制約に加えて、ＵＥ最大出力電力が（規制の理由による可能性さえあって）電力制限される可能性があるので、ＵＬカバレッジの課題もあり得る。例えば、電磁場（ＥＭＦ：ｅｌｅｃｔｒｏｍａｇｎｅｔｉｃ  ｆｉｅｌｄ）規則は、ＵＬにおいて、特により高い周波数範囲、例えば６ＧＨｚを超えるところで、ＵＥ送信電力を制限することがあり得る。
【００５５】
また、合計電力が通常同一であるので、ＵＬはより多くのスペクトルからそれほどの利点を得ない。一方では基地局のＤＬは、より多くのスペクトルを得るときに、より多くの電力を与えることが可能であり得る。
【００５６】
したがって、より低いスペクトルではＵＬを、そしてより高いスペクトルではより広いＤＬ帯域幅を有することは、有益であり得る。
【００５７】
図３は、ワイヤレス通信システムの通信のために使うことができる周波数チャネルの全体の構造および設定の実施例を図示する概略図である。
【００５８】
前述のように、周波数チャネルは、無線周波数範囲の全体の中の位置によって規定されて、周波数チャネルのサイズを規定するチャネル帯域幅を有する。周波数チャネルは、通信のダウンリンクおよび／またはアップリンク方向において規定することができる。通常、周波数チャネルは２つのガード帯域を、各エッジに１つ有し、周波数チャネルの中で送信帯域幅を囲んで、「ガード」する。
【００５９】
図４は、一実施形態によるワイヤレス通信システムの動作のために設定されるワイヤレス通信装置の実施例を図示する概略図である。
【００６０】
この実施例では、ワイヤレス通信装置１０は、第１の無線アクセス技術（ＲＡＴ）のアップリンク（ＵＬ）キャリアによって設定される。ワイヤレス通信装置１０は、第１のＲＡＴのダウンリンク（ＤＬ）キャリアによっても設定される。
【００６１】
特に、ワイヤレス通信装置１０は、第２のＲＡＴのアップリンク周波数チャネルとオーバラップするアップリンク周波数チャネルで第１のＲＡＴのＵＬキャリアを送信するように設定される。ワイヤレス通信装置１０はまた、第２のＲＡＴの周波数チャネルより高い第１のＲＡＴの周波数チャネルの第１のＲＡＴのＤＬキャリアを受信し、復調および／または復号するように設定される。
【００６２】
図示する実施例において、ワイヤレス通信装置１０は、第２のＲＡＴのアップリンク周波数チャネルとオーバラップするアップリンク周波数チャネルで第１のＲＡＴのＵＬキャリアのアップリンク（ＵＬ）制御チャネルにおいてアップリンク制御情報を送信するように設定される。例えば、アップリンク制御情報は、ＤＬキャリアに関連している。
【００６３】
提案される技術は一般に、異なる無線アクセス技術に適用できるが、第１のＲＡＴは例えば５ＧまたはＮＸのＲＡＴでもよく、および／または、第２のＲＡＴは例えばＬｏｎｇ  Ｔｅｒｍ  Ｅｖｏｌｕｔｉｏｎ（ＬＴＥ）に基づくＲＡＴでもよい。
【００６４】
本明細書で規定されるように、ＬＴＥベースのＲＡＴがＬＴＥに基づくすべての異なるタイプのＲＡＴを含むことを理解すべきである。
【００６５】
特に有用な応用シナリオは、第２のＲＡＴとしてはＬＴＥに基づくいかなるＲＡＴも含み、第１のＲＡＴとしては、ＲＡＴの特定の呼び名または命名にかかわりなく、より高い周波数で少なくともダウンリンクのために作動するいかなるより高い世代のＲＡＴも含むことを理解すべきである。
【００６６】
例えば、ＬＴＥ周波数チャネルは、無線周波数範囲の全体の様々な位置において、１．４、３、５、１０、１５、２０ＭＨｚの帯域幅から選択される帯域幅を有することができる。
【００６７】
下表において、動作帯域とも呼ばれるＬＴＥ周波数帯域の例は、２０１５年１０月の３ＧＰＰ  ＴＳ  ３６．１０１、Ｖ１２．９．０を参照して挙げられる。
2020113996.tif 000003
【００６８】
５ＧまたはＮＸの周波数チャネルは、１ＧＨｚ未満から約１００ＧＨｚ以上までのキャリア周波数で１ＭＨｚから２ＧＨｚの帯域幅の範囲であると予想される。
【００６９】
ＬＴＥは、無線アクセスソリューションの全体に対して、特に６ＧＨｚ未満の周波数帯域に対して、重要な役割を演ずるが、６ＧＨｚを上回ってはおそらく大部分は５ＧまたはＮＸが使われることになり、但し、既存のスペクトルに段階的な移行があり得る。
【００７０】
特定の実施例では、ワイヤレス通信装置１０は、第２のＲＡＴのアップリンク周波数チャネルの少なくとも１つの特定の部分で第１のＲＡＴのＵＬキャリアを送信するように設定することができる。
【００７１】
例えば、ワイヤレス通信装置１０は、第２のＲＡＴのアップリンク周波数チャネルの少なくとも１つのガード帯域で第１のＲＡＴのＵＬキャリアを送信するように設定することができる。
【００７２】
別法として、または、補完するものとして、ワイヤレス通信装置１０は例えば、周波数チャネルの送信帯域幅内部の第２のＲＡＴのアップリンク周波数チャネルの少なくとも１つの専用の部分で第１のＲＡＴのＵＬキャリアを送信するように設定することができる。
【００７３】
例えば、ワイヤレス通信装置１０は、第２のＲＡＴのアップリンク周波数チャネルの少なくとも１つの特定の部分を示していて周波数チャネルの少なくとも１つの特定の部分で第１のＲＡＴのＵＬキャリアの送信のためのワイヤレス通信装置の設定を可能にする設定情報を受信するように、設定することができる。
【００７４】
任意選択の実施形態において、ワイヤレス通信装置１０は、デュアルコネクティビティまたはマルチコネクティビティ手順に基づいて、第２のＲＡＴのＤＬキャリアおよび／またはＵＬキャリアで設定することもでき、そのことは後ほど説明する。これは、マルチＲＡＴ能力があるＵＥのためのありそうなシナリオである。
【００７５】
後ほど述べるように、ワイヤレス通信装置１０は例えば、プロセッサメモリ技術に基づいて実装することができ、ここで、ワイヤレス通信装置１０はプロセッサおよびメモリを含み、メモリはプロセッサによって実行可能な命令を含み、それによって、プロセッサはワイヤレス通信装置の動作を可能にしておよび／またはサポートするように動作する。
【００７６】
図５は、一実施形態による、関連するワイヤレス通信装置１０との通信を可能にするためのワイヤレス通信システムにおける動作のために設定される、ネットワークユニット２０、３０の実施例を図示する概略図である。
【００７７】
この特定の実施例では、ネットワークユニット２０は、第１の無線アクセス技術（ＲＡＴ）の基地局である。ネットワークユニット２０は、第２のＲＡＴのアップリンク周波数チャネルとオーバラップするアップリンク周波数チャネルで第１のＲＡＴのアップリンク（ＵＬ）キャリアを受信し、復調および／または復号するように設定される。ネットワークユニット２０はまた、第２のＲＡＴの周波数チャネルより高い第１のＲＡＴの周波数チャネルで第１のＲＡＴのダウンリンク（ＤＬ）キャリアを送信するように設定される。
【００７８】
例えば、第１のＲＡＴのネットワークユニット２０は、特に第２のＲＡＴのアップリンク周波数チャネルと同じであるか重なり合う周波数チャネルにおける動作のためのＵＬ受信機を有する基地局であってもよい。
【００７９】
任意選択で、第２のＲＡＴのネットワークユニット３０は、第２のＲＡＴに基づいてワイヤレス通信装置１０をサーブしている状態でもあり得る。ネットワークユニット３０は、基地局であってもよい。例えば、ワイヤレス通信装置１０は、デュアルコネクティビティに基づいて、第２のＲＡＴのＤＬキャリアおよび／またはＵＬキャリアで設定することができる。
【００８０】
図６は、一実施形態による、関連するワイヤレス通信装置との通信を可能とするためのワイヤレス通信システムの動作のために設定されるネットワークユニットの、別の実施例を図示する概略図である。
【００８１】
この実施例では、第２のＲＡＴの基地局であるネットワークユニット３０は、第２のＲＡＴのアップリンク周波数チャネルとオーバラップするアップリンク周波数チャネルで第１のＲＡＴのアップリンク（ＵＬ）キャリアを受信し、復調および／または復号するように設定される。ネットワークユニット３０は、第１のＲＡＴのアップリンク（ＵＬ）キャリアに関連した情報を、第１のＲＡＴの基地局であるネットワークユニット２０に転送するようにさらに設定される。
【００８２】
この実施例では、第１のＲＡＴのネットワークユニット２０は、第２のＲＡＴの周波数チャネルより高い第１のＲＡＴの周波数チャネルで第１のＲＡＴのダウンリンク（ＤＬ）キャリアを送信するように、設定することができる。
【００８３】
任意選択で、第２のＲＡＴのネットワークユニット３０は、デュアルコネクティビティに基づいて、第２のＲＡＴに基づいたワイヤレス通信装置１０をサーブしていてもよい。
【００８４】
図５および／または図６の実施例を参照すると、ネットワークユニット２０は例えば、第２のＲＡＴのアップリンク周波数チャネルとオーバラップするアップリンク周波数チャネルの第１のＲＡＴのＵＬキャリアのアップリンク（ＵＬ）制御チャネルでアップリンク制御情報を受信し、復調および／または復号するように、設定することができる。
【００８５】
例えば、アップリンク制御情報は、第１のＲＡＴのＤＬキャリアに関連するものであり得る。
【００８６】
一例として、第１のＲＡＴは５ＧまたはＮＸのＲＡＴでもよく、および／または、第２のＲＡＴはＬｏｎｇ  Ｔｅｒｍ  Ｅｖｏｌｕｔｉｏｎ（ＬＴＥ）に基づくＲＡＴでもよい。こうして、ネットワークユニット２０は例えば、５Ｇ／ＮＸ  ｅＮＢでもよく、および／またはネットワークユニット３０はＬＴＥ  ｅＮＢでもよい。
【００８７】
図５および／または図６の実施例をさらに参照すると、ネットワークユニット２０（図５）および／またはネットワークユニット３０（図６）は、第２のＲＡＴのアップリンク周波数チャネルの少なくとも１つの特定の部分において第１のＲＡＴのＵＬキャリアを受信し、復調および／または復号するように、設定することができる。
【００８８】
例えば、ネットワークユニット２０／３０は、第２のＲＡＴのアップリンク周波数チャネルの少なくとも１つのガード帯域で第１のＲＡＴのＵＬキャリアを受信し、復調および／または復号するように、設定することができる。
【００８９】
別法として、または、補完するものとして、ネットワークユニット２０／３０は、周波数チャネルの送信帯域幅内の第２のＲＡＴのアップリンク周波数チャネルの少なくとも１つの専用の部分で第１のＲＡＴのＵＬキャリアを受信し、復調および／または復号するように、設定することができる。
【００９０】
特定の例示の実施形態において、ネットワークユニット２０／３０は、第２のＲＡＴのアップリンク周波数チャネルの少なくとも１つの特定の部分を示している設定情報を、少なくとも１つの関連するワイヤレス通信装置１０に送信して、周波数チャネルの少なくとも１つの特定の部分での第１のＲＡＴのＵＬキャリアの送信のためにワイヤレス通信装置（複数可）の設定を可能にするように、さらに設定することができる。
【００９１】
各ネットワークユニット２０／３０は、プロセッサメモリ実装に基づいてもよく、ネットワークユニット２０／３０がプロセッサおよびメモリを含み、メモリはプロセッサによって実行可能な命令を含み、それによって、プロセッサがネットワークユニットの動作を可能にし、および／またはサポートするように動作する。これは、より詳細に後述する。
【００９２】
図７は、個別ネットワークユニットによって、または、異なるネットワークユニット間のネゴシエーションの一部として実行されるアップリンク周波数チャネルの時間または周波数リソース分割の決定、および、関連するワイヤレス通信装置の対応する設定の実施例を図示する概略図である。
【００９３】
全般に、ワイヤレス通信システムの無線通信のための時間および／または周波数リソースの管理を実行するように設定されるネットワークユニット２０／３０／４０が提供される。ネットワークユニット２０／３０／４０は、第１の無線アクセス技術（ＲＡＴ）のアップリンクチャネルと第２のＲＡＴのアップリンクチャネルとの間のアップリンク周波数チャネルの時間および／または周波数リソース分割を決定するように設定することができる。
【００９４】
例えば、第１のＲＡＴは５ＧまたはＮＸのＲＡＴでもよく、および／または、第２のＲＡＴはＬｏｎｇ  Ｔｅｒｍ  Ｅｖｏｌｕｔｉｏｎ（ＬＴＥ）ベースのＲＡＴでもよい。
【００９５】
一例として、ネットワークユニット２０／３０／４０は、第１のＲＡＴのアップリンク制御チャネルと第２のＲＡＴの１つまたは複数のアップリンクチャネルとの間のアップリンク周波数チャネルの、前記時間および／または周波数リソース分割を決定するように設定することができる。
【００９６】
特定のセットの実施例においては、ネットワークユニット２０／３０は、リソース分割のネゴシエーションに関与するように設定することができる。
【００９７】
第１の実施例において、図８Ａを参照すると、ネットワークユニット２０は、第１のＲＡＴに基づいた動作のために設定することができ、決定されたリソース分割に関する情報（ビッド）を第２のＲＡＴのネットワークユニット３０に送信するように設定することができ、アップリンク周波数チャネルの決定されたリソース分割を受け入れる第２のＲＡＴのネットワークユニット３０から肯定応答（ＡＣＫ／ＡＣＣＥＰＴ）を受信するように設定することができる。
【００９８】
例えば、ネットワークユニット２０は、５ＧまたはＮＸの基地局でもよい。
【００９９】
第２の実施例において、図８Ｂを参照すると、ネットワークユニット３０は、第２のＲＡＴに基づいた動作のために設定することができ、決定されたリソース分割に関する情報（ビッド）を第１のＲＡＴのネットワークユニット２０に送信するように設定することができ、アップリンク周波数チャネルの決定されたリソース分割を受け入れる第１のＲＡＴのネットワークユニット２０から肯定応答（ＡＣＫ／ＡＣＣＥＰＴ）を受信するように設定することができる。
【０１００】
例えば、ネットワークユニット３０は、ＬＴＥ基地局でもよい。
【０１０１】
リソース分割に関する提供されたビッドを受け入れることができない場合、拒否を送信することができる。拒否は、対案と共に送信することもでき、あるいは、新しいビッドを待つだけの単純な拒否として送信することもできる。
【０１０２】
しかしながら、ネゴシエーションは、決定されたリソース分割を実際に拒否する可能性を含まない、単純なハンドシェーク手順とみなすこともできる。
【０１０３】
再び図７を参照すると、ネットワークユニット２０および／またはネットワークユニット３０は、後ほど述べるように、アップリンク周波数チャネルの決定されたリソース分割に基づいて関連するワイヤレス通信装置１０−１および／または１０−２を設定するように適合できることが分かる。
【０１０４】
前述のように、リソース分割は別々のネットワークユニット４０で決定することができ、それはアクセスネットワーク、コアネットワーク、ＯＳＳおよび／または、さらにクラウドベースのネットワーク環境の位置に対しても設定することができる。
【０１０５】
例えば、このようなネットワークユニット４０は、第１のＲＡＴの基地局２０および／または第２のＲＡＴの基地局３０にアップリンク周波数チャネルの決定されたリソース分割を知らせて、決定されたリソース分割に基づいて第１のＲＡＴの基地局２０および／または第２のＲＡＴの基地局３０と関連したワイヤレス通信装置の設定を可能にするように設定することができる。
【０１０６】
以下の部分で提案される技術は、ワイヤレス通信装置において用いられる方法として説明される。
【０１０７】
図９は、実施形態によってワイヤレス通信システムのワイヤレス通信装置を作動させる方法の実施例を図示する模式的なフロー図である。
【０１０８】
基本的に、方法は次のステップを含む。
【０１０９】
Ｓ１：  第１の無線アクセス技術（ＲＡＴ）のダウンリンク（ＤＬ）キャリアのＤＬシグナリングを、第２のＲＡＴの周波数チャネルより高い第１のＲＡＴの周波数チャネルで受信し、復調および／または復号するステップ
【０１１０】
Ｓ２：  第１のＲＡＴのアップリンク（ＵＬ）キャリアにおける送信のためのアップリンク（ＵＬ）シグナリングを準備するステップ
【０１１１】
Ｓ３：  第２のＲＡＴのアップリンク周波数チャネルとオーバラップするアップリンク周波数チャネルで第１のＲＡＴのＵＬキャリアのＵＬシグナリングを送信するステップ
【０１１２】
例えば、アップリンク制御情報は、第２のＲＡＴのアップリンク周波数チャネルとオーバラップするアップリンク周波数チャネルにおいて第１のＲＡＴのＵＬキャリアのアップリンク（ＵＬ）制御チャネルで送信することができる。
【０１１３】
例えば、アップリンク制御情報は、ＤＬキャリアに関連するものであり得る。
【０１１４】
特定の実施例では、第１のＲＡＴは５ＧまたはＮＸのＲＡＴであり、および／または、第２のＲＡＴはＬｏｎｇ  Ｔｅｒｍ  Ｅｖｏｌｕｔｉｏｎ（ＬＴＥ）に基づくＲＡＴである。
【０１１５】
例示の実施形態のあるセットでは、第１のＲＡＴのＵＬキャリアは、第２のＲＡＴのアップリンク周波数チャネルの少なくとも１つの特定の部分で送信することができる。
【０１１６】
例えば、第１のＲＡＴのＵＬキャリアは、第２のＲＡＴのアップリンク周波数チャネルの少なくとも１つのガード帯域で送信することができる。
【０１１７】
別法として、または、補完するものとして、第１のＲＡＴのＵＬキャリアは、周波数チャネルの送信帯域幅内で、第２のＲＡＴのアップリンク周波数チャネルの少なくとも１つの専用の部分で送信することができる。
【０１１８】
任意選択の実施形態において、ワイヤレス通信装置はまた、第２のＲＡＴのアップリンク周波数チャネルの少なくとも１つの特定の部分を示していて周波数チャネルの少なくとも１つの特定の部分で第１のＲＡＴのＵＬキャリアの送信のためのワイヤレス通信装置の設定を可能にする設定情報を受信する。
【０１１９】
後ほど例証されるように、第１のＲＡＴと第２のＲＡＴの間で時間多重方式により第２のＲＡＴのアップリンク周波数チャネルの少なくとも一部を共有することもできる。
【０１２０】
以下の部分で提案される技術は、ネットワークユニットに用いられる方法として説明される。
【０１２１】
図１０はワイヤレス通信システムのネットワークユニットを作動させる方法の実施例を図示する模式的なフロー図であり、このネットワークユニットは第１の無線アクセス技術の基地局である。
【０１２２】
基本的に、方法は次のステップを含む。
【０１２３】
Ｓ１１：  第２のＲＡＴのアップリンク周波数チャネルとオーバラップするアップリンク周波数チャネルで第１のＲＡＴのアップリンク（ＵＬ）キャリアを受信し、復調および／または復号するステップ
【０１２４】
Ｓ１２：  第２のＲＡＴの周波数チャネルより高い第１のＲＡＴの周波数チャネルで第１のＲＡＴのダウンリンク（ＤＬ）キャリアを送信するステップ
【０１２５】
図１１は、ワイヤレス通信システムのネットワークユニットを作動させる方法の別の実施例を図示する模式的なフロー図であり、このネットワークユニットは第２の無線アクセス技術の基地局である。
【０１２６】
基本的に、方法は次のステップを含む。
【０１２７】
Ｓ２１：  第２のＲＡＴのアップリンク周波数チャネルとオーバラップするアップリンク周波数チャネルで第１のＲＡＴのアップリンク（ＵＬ）キャリアを受信し、復調および／または復号するステップ
【０１２８】
Ｓ２２：  第１のＲＡＴのアップリンク（ＵＬ）キャリアに関連した情報を第１のＲＡＴの基地局に転送するステップ
【０１２９】
図１０および図１１のネットワークユニットを作動させる方法を参照すると、アップリンク制御情報は、第２のＲＡＴのアップリンク周波数チャネルとオーバラップするアップリンク周波数チャネルで第１のＲＡＴのＵＬキャリアのアップリンク（ＵＬ）制御チャネルで受信し、復調および／または復号することができる。
【０１３０】
例えば、アップリンク制御情報は、第１のＲＡＴのＤＬキャリアに関連するものであり得る。
【０１３１】
特定の実施例では、第１のＲＡＴは５ＧまたはＮＸのＲＡＴであり、および／または、第２のＲＡＴはＬｏｎｇ  Ｔｅｒｍ  Ｅｖｏｌｕｔｉｏｎ（ＬＴＥ）に基づくＲＡＴである。
【０１３２】
ある実施形態のセットでは、第１のＲＡＴのＵＬキャリアは、第２のＲＡＴのアップリンク周波数チャネルの少なくとも１つの特定の部分で受信し、復調および／または復号することができる。
【０１３３】
例えば、第１のＲＡＴのＵＬキャリアは、第２のＲＡＴのアップリンク周波数チャネルの少なくとも１つのガード帯域で受信し、復調および／または復号することができる。
【０１３４】
別法として、または、補完するものとして、第１のＲＡＴのＵＬキャリアは、周波数チャネルの送信帯域幅内で、第２のＲＡＴのアップリンク周波数チャネルの少なくとも１つの専用の部分で受信し、復調および／または復号することができる。
【０１３５】
任意選択として、第２のＲＡＴのアップリンク周波数チャネルの少なくとも１つの特定の部分を示している設定情報は、少なくとも１つの関連するワイヤレス通信装置に送信されて、アップリンク周波数チャネルの少なくとも１つの特定の部分での第１のＲＡＴのＵＬキャリアの送信のためのワイヤレス通信装置（複数可）の設定を可能にする。
【０１３６】
図１２は、ワイヤレス通信システムの無線通信のための時間および／または周波数リソースの管理のための方法の実施例を図示する模式的なフロー図である。方法は、ステップＳ３１において、第１の無線アクセス技術（ＲＡＴ）のアップリンクチャネルと第２のＲＡＴのアップリンクチャネルとの間のアップリンク周波数チャネルの、時間および／または周波数リソース分割を決定することを含む。
【０１３７】
特定の実施例では、第１のＲＡＴは５ＧまたはＮＸのＲＡＴであり、および／または、前記第２のＲＡＴはＬｏｎｇ  Ｔｅｒｍ  Ｅｖｏｌｕｔｉｏｎ（ＬＴＥ）ベースのＲＡＴである。
【０１３８】
一例として、決定するステップは、第１のＲＡＴのアップリンク制御チャネルと第２のＲＡＴの１つまたは複数のアップリンクチャネルとの間のアップリンク周波数チャネルの、時間および／または周波数リソース分割を決定することを含む。
【０１３９】
前述のように、時間および／または周波数リソース分割を決定するステップは、第１のＲＡＴのネットワークユニットと第２のＲＡＴのネットワークユニットの間のネゴシエーションの一部であってもよい。
【０１４０】
例えば、方法は第１のＲＡＴのネットワークユニットによって実行することができ、ネットワークユニットは第２のＲＡＴのネットワークノードに決定されたリソース分割に関する情報を送信し、アップリンク周波数チャネルの決定されたリソース分割を受け入れる第２のＲＡＴのネットワークユニットからの肯定応答を受信する。
【０１４１】
あるいは、方法は第２のＲＡＴのネットワークユニットによって実行され、それは第１のＲＡＴのネットワークノードに決定されたリソース分割に関する情報を送信し、アップリンク周波数チャネルの決定されたリソース分割を受け入れる第１のＲＡＴのネットワークユニットからの肯定応答を受信する。
【０１４２】
提案される技術はまた、ワイヤレス通信装置がアップリンク周波数チャネルの決定されたリソース分割に基づいて設定される可能性を提供する。
【０１４３】
さらに別の実施例では、方法はネットワークユニットによって実行することができ、それは第１のＲＡＴの基地局および／または第２のＲＡＴの基地局にアップリンク周波数チャネルの決定されたリソース分割を知らせて、決定されたリソース分割に基づいて第１のＲＡＴの基地局および／または第２のＲＡＴの基地局と関連したワイヤレス通信装置の設定を可能にする。
【０１４４】
マルチＲＡＴ統合化およびデュアルコネクティビティなどのマルチコネクティビティ機能は、提案される技術の補完的な部分としても興味深いものであり得る。
【０１４５】
例えば、マルチコネクティビティまたはデュアルコネクティビティ手順は、異なる無線アクセス技術の無線ノードとの接続部分を確立および維持するために用いることができる。
【０１４６】
既存のマルチＲＡＴ統合化（例えばＬＴＥとＵＴＲＡＮ間の）において、各ＲＡＴは、それ自身のＲＡＮプロトコルスタックおよびそれ自身のコアネットワークを通常有しており、そこでは両方のコアネットワークがノード間インターフェースを経てリンクされる。しかしながら、ＲＡＴのより密接した統合化を提供することは可能であり、および／または望ましい。
【０１４７】
特定の実施形態では、ＬＴＥおよびＮＸの密接した統合化が、例えば所与のＵＥのためのＬＴＥおよびＮＸへのシームレスな接続性を可能にするために提案される。
【０１４８】
可能性があるソリューションの例は、例えば、ＬＴＥ  Ｒｅｌ−１２  デュアルコネクティビティソリューションに基づくＲＡＮレベルの統合化、ならびに、ＭＡＣレイヤ統合化（マルチＲＡＴキャリアアグリゲーションを可能にする）またはＬＴＥおよびＮＸのためのＲＲＣ／ＰＤＣＰレイヤ統合化を含むことができる。ここで、統合化レイヤは、ＲＡＴに特有の（ＮＸおよびＬＴＥそれぞれのための）下位レイヤプロトコルと対話することができる。
【０１４９】
例えば、密接した統合化は、ユーザ平面アグリゲーションによる非常に高いデータレートまたはユーザもしくは制御プレーン多様性による超信頼性などの、５Ｇのユーザの要求を満たすことを意図する。ユーザ平面アグリゲーションは、アグリゲーションがスループットをほぼ２倍にすることができるようにＮＸおよびＬＴＥが同程度のスループットを特定のユーザに対して提供する場合、特に効率的である。これらのケースが起きるかどうかは、２つの無線アクセスの割当スペクトル、カバレッジおよび負荷に依存する。
【０１５０】
これらに加えて、密接した統合化が既存のマルチＲＡＴ機能、例えばＲＡＮレベルの統合化がコアネットワークに対して透過的であることによる負荷バランスおよびサービス連続性に対する強化を提供することも、言及に値する。
【０１５１】
ネットワーク配備に関して、ＬＴＥおよびＮＸは、同じ位置に配置する（例えば、ベースバンドが、理想的バックホールとして知られる同じ物理ノードに実装される）ことができるか、または同じ位置に配置しないようにする（例えば、ベースバンドが別々の物理ノードに実装される）こともできる。
【０１５２】
ＵＥ側には、各ＲＡＴに対して１つのデュアル無線機を有するＵＥが例えばあって、各無線機が受信機および送信機（ＲＸ／ＴＸ）を備えており、そして、これらの無線機が同時に作動することができる。このようなＵＥは、下位レイヤ上の時分割動作を必要とすることなく同時にＬＴＥおよびＮＸに完全に接続していることが可能である。仕様の点から、密接した統合化は、このＵＥタイプに対して指定することがより容易であり得る。しかしながら、実装の点からは、同時に作動している２つの送信機チェーン（アップリンク）は新規な課題を招くことになり、その中には、制限のあるＴＸ電力を２つのＴＸにまたがって分割する必要性、ならびに可能性として相互変調の課題を含む。このように、二重ＲＸを有するが単一ＴＸのＵＥは、実装するのがより容易であるという理由で存在し得る。最終的には、両方の空中インターフェースが可能であるが同時には一方だけ、という単一無線機の低コストＵＥも存在し得る。
【０１５３】
以下において、提案される技術は、関係する無線アクセス技術として、ＬＴＥおよび５Ｇ／ＮＸに関して非限定的な実施例を参照して記載されている。すでに説明したように、提案される技術がそれに限定されないことを理解すべきである。
【０１５４】
特定の例示シナリオにおいて、ＮＸ  ＤＬはより高い周波数で作動し、ＮＸ  ＵＬはより低い周波数で作動する。この設定条件に対する理由として可能性があるものには、例えば、高周波送信機をサポートしていない端末、高周波での不十分なアップリンクカバレッジ、スペクトルライセンスまたは端末の電力消費量があり得る。
【０１５５】
提案される技術によれば、ＮＸ  ＵＬは、ＵＬ周波数チャネルを別のＲＡＴ、例えばＬＴＥと共有することができる。
【０１５６】
例えば、ＮＸ  ＵＬは、ＮＸ波形を使用してＬＴＥ  ＵＬチャネルの低周波で作動することができる。このようにして、ＮＸ  ＵＬおよびＬＴＥ  ＵＬはリソースを共有して、ＮＸの送信機会を作り出すことができる。高周波で、ＮＸはＤＬキャリアを作動させる。
【０１５７】
場合によっては、ＮＸ  ＵＬはＮＸ  ＤＬに関連したＬ１／Ｌ２  ＵＬ制御シグナリングなどの制御情報に制限され、そして、「ユーザ」ＵＬデータはＬＴＥを介してサーブされることになる（ＵＥがＬＴＥおよびＮＸの両方に接続している場合）。しかしながら、ＤＬの重いサービスに対しては、すべてのＮＸ  ＵＬがＮＸ  ＵＬを使用して送信されると想像することさえできる。
【０１５８】
図１３は、ＰＵＳＣＨおよびＰＵＣＣＨチャネルを有するＬＴＥアップリンク周波数チャネルの時間／周波数グリッドの実施例を例示している概略図である。バンドエッジチャネル状態情報（ＣＳＩ：Ｃｈａｎｎｅｌ  Ｓｔａｔｅ  Ｉｎｆｏｒｍａｔｉｏｎ）は、物理アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）  Ｆｏｒｍａｔ  ２／２ａ／２ｂを使用して送信される。ＣＳＩのためのＰＵＣＣＨリソースは、それぞれ、パラメータｃｑｉ−ＰＵＣＣＨ−ＲｅｓｏｕｒｃｅＩｎｄｅｘおよびｃｑｉ−ＰＵＣＣＨ−ＲｅｓｏｕｒｃｅＩｎｄｅｘＰ１（存在する場合、アンテナポート１に対して）を使用して設定される。このパラメータによって、ＰＵＣＣＨ  Ｆｏｒｍａｔ  ２／２ａ／２ｂをキャリア内に移動させることができる。
【０１５９】
ＣＳＩの後に、ＰＵＣＣＨ  Ｆｏｒｍａｔ  １／１ａ／１ｂおよびＰＵＣＣＨ  Ｆｏｒｍａｔ  ３を使用してＡＣＫ／ＮＡＣＫフィードバックおよびスケジューリング要求が続く。周波数領域のＰＵＣＣＨ  Ｆｏｒｍａｔ  １／１ａ／１ｂの開始位置は、パラメータｎＲＢ−ＣＱＩによって設定することができる。ＰＵＣＣＨ  Ｆｏｒｍａｔ  １／１ａ／１ｂがキャリア内でどこまで達するかは設定に依存するが、ユーザのスケジューリングに応じて動的に変化もする。ＰＵＣＣＨ  Ｆｏｒｍａｔ  ３のためのリソースは、それぞれ、パラメータｎ３ＰＵＣＣＨ−ＡＮ−Ｌｉｓｔおよびｎ３ＰＵＣＣＨ−ＡＮ−ＬｉｓｔＰ１（存在する場合、アンテナポート１に対して）によって設定される。
【０１６０】
物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）は、ＰＵＣＣＨ領域の中で正常に送信される。その周波数位置は、スケジューリングに応じて動的に変化し、スケジューラはそれがＰＵＳＣＨ領域に「ブリージング」可能なＰＵＣＣＨ領域とオーバラップしないことを、確認しなければならない。
【０１６１】
ＮＸおよびＬＴＥは、異なる送信方式または、互いに向かって直交性でないが、互いに干渉する同じ送信方式のパラメータ付けを使用することができる。
【０１６２】
出発点として、発明者らは、ＮＸがＬＴＥのガード帯域でそのＵＬを送信することができると想定した。これが可能なのは、１０ＭＨｚおよび２０ＭＨｚなどの広帯域ＬＴＥキャリアにおいては、帯域幅の外側で帯域外放射規制を犯さずにさらにいくつかのサブキャリアを割り込ませることができるからである。ＮＸ  ＵＬのデータレートがより多くの帯域幅を必要とする場合、ＮＸ  ＵＬシグナリングは内側に移動して、当初ＬＴＥ  ＵＬによって占められていた周波数を使用しなければならない。干渉を回避するために、ＬＴＥ  ＵＬは再設定して、ＮＸ  ＵＬによって使用される周波数を空き状態のままにしなければならず、すなわち、ＮＸおよびＬＴＥ  ｅＮＢはネゴシエーションを行い、ＮＸ  ＵＬ帯域幅について合意して、ＮＸ  ＵＬに適合するためにＬＴＥを再設定することができる。
【０１６３】
ソリューションは、信頼性が高い制御情報、例えば良好なパフォーマンスのために必要とされる低い周波数でのＮＸのＨＡＲＱフィードバックを提供する。それにより、ＵＥが高周波送信機を有しないシナリオも可能となる。
【０１６４】
図１４は、ＮＸアップリンクが実施形態によってどのようにＬＴＥ  ＵＬキャリアのガード帯域（複数可）において送信されるかという実施例を図示する概略図である。
【０１６５】
低い周波数でそのＵＬを作動させるＮＸキャリアに対して、ＵＬチャネルはそのＵＬのために決定されなければならない。例えば、ＮＸ  ｅＮＢは、ＬＴＥ  ｅＮＢによって（例えば、Ｘ２を介して、または、ＮＸおよびＬＴＥが同じノードによってサーブされる場合はノード内通信を介して）ＬＴＥ  ＵＬについて通知されるかまたは別のノードからこの情報を受信する。別のソリューションは、センシングに基づく。
【０１６６】
一旦ＮＸ  ｅＮＢがＬＴＥ  ＵＬを認識すると、それはＬＴＥ  ＵＬキャリアのガード帯域にＮＸ  ＵＬを配置することができる。ＬＴＥへの干渉を低減するために（ＬＴＥおよびＮＸ送信方式が互いに直交性でなくてもよいので）、ＮＸは、その波形のフィルタリングまたはウィンドー設定を適用することができる。ＬＴＥは、すでに指定されているので、そうすることができない。しかしながら、ＮＸはそれを認識しており、それ自身のＵＬをガードするために、余分の強力な送信、例えば低レートチャネルコーディングを使用することができる。必要に応じてＬＴＥとＮＸの間にガード帯域があってもよい。
【０１６７】
ＮＸ  ＵＬのために必要とされるリソースがガード帯域においても利用可能な容量を超える場合、以下で例証されるように、アクティブな帯域幅の範囲内（例えば２０ＭＨｚのＬＴＥキャリアにおける１８ＭＨｚ）で使用されるリソースをＮＸ  ＵＬによって使わなければならない。
【０１６８】
当初ＬＴＥ  ＵＬによって使われていたリソースを空けるために、ＮＸ  ｅＮＢおよびＬＴＥ  ｅＮＢは、ネゴシエーションを行い、ＮＸとＬＴＥの間のＵＬチャネルでのリソース分割について合意することができる。ＮＸおよびＬＴＥがノード内通信を介して同じノードによってサーブされている場合、それらが２つの別々のノードであるなら、それらはＸ２インターフェースなどの外部インターフェースを介して通信する。図７を再度参照することができる。リソース分割の決定および／またはネゴシエーションに、第３のノードが関与することさえできる。
【０１６９】
ＬＴＥ  ｅＮＢおよびＮＸ  ｅＮＢは、こうしてＵＬチャネルにおいてリソース分割についてネゴシエーションを行うことができる。ネゴシエーションの後に、ＬＴＥ  ｅＮＢはそのサーブされる端末にこの設定を通知し、そしてＮＸ  ｅＮＢはそのサーブされた端末について同じことを行う。あるいは（図７の破線）、ＬＴＥ  ｅＮＢは、ＮＸ  ＵＥがＬＴＥによってもサーブされる（ＬＴＥを経て接続される）場合、ＮＸ  ＵＥを再設定することができる。
【０１７０】
図１５は、ＮＸアップリンクが実施形態によってどのようにＬＴＥ  ＵＬキャリアのガード帯域（複数可）で部分的に送信されて、ＬＴＥ送信帯域幅の範囲内でも部分的に送信されるか、という実施例を図示する概略図である。
【０１７１】
ＮＸは、まだガード帯域において部分的に送信されるが、最初はＬＴＥ  ＵＬによって使われた最も外側のリソースも使用する。再設定されることを必要とするかもしれないパラメータの例としては、ｃｑｉ−ＰＵＣＣＨ−ＲｅｓｏｕｒｃｅＩｎｄｅｘ、ｃｑｉ−ＰＵＣＣＨ−ＲｅｓｏｕｒｃｅＩｎｄｅｘＰ１、ｎ３ＰＵＣＣＨ−ＡＮ−Ｌｉｓｔ、ｎ３ＰＵＣＣＨ−ＡＮ−ＬｉｓｔＰ１およびｎＲＢ−ＣＱＩを含むことができる。ガード帯域では送信せずに、元のＬＴＥ帯域幅の範囲内だけでの送信も可能である。
【０１７２】
図１６は、ＮＸアップリンクが実施形態によってどのようにＬＴＥ送信帯域幅の範囲内で送信されるかという第１の実施例を図示する概略図である。
【０１７３】
この実施例では、ＮＸ  ＵＬは、ＰＵＣＣＨ  Ｆｏｒｍａｔ  ２とＰＵＣＣＨ  Ｆｏｒｍａｔ  １／１ａ／１ｂ／３領域の間に配置される。このような再設定は、パラメータｎ３ＰＵＣＣＨ−ＡＮ−Ｌｉｓｔ、ｎ３ＰＵＣＣＨ−ＡＮ−ＬｉｓｔＰ１およびｎＲＢ−ＣＱＩへの変更を含むことができる。
【０１７４】
図１７は、ＮＸアップリンクが実施形態によってどのようにＬＴＥ送信帯域幅の範囲内で送信されるかという第２の実施例を図示する概略図である。
【０１７５】
この実施例では、ＮＸ  ＵＬをＬＴＥ  ＰＵＳＣＨ領域、すなわちＰＵＣＣＨ  Ｆｏｒｍａｔ  １／１ａ／１ｂ／３の内部に配置することが提案される。ここで、ＰＵＣＣＨが必ずしも再設定されるというわけではないが、ＬＴＥ  ｅＮＢはＮＸ  ＵＬにより用いられるリソースでＰＵＳＣＨ送信をスケジューリングしないように確認しなければならない。図１７の実施例において、ＮＸ  ＵＬはＰＵＳＣＨのエッジに置かれているが、それはＰＵＳＣＨ領域の中にあることさえ可能である。
【０１７６】
異なるソリューションは組み合わせることもでき、例えば、ＮＸ  ＵＬの部分はＬＴＥガード帯域において送信される、そして、部分はＬＴＥ  ＰＵＣＣＨ領域の範囲内、または、ＰＵＳＣＨ領域の範囲内で送信される。
【０１７７】
ＬＴＥとＮＸの間のＵＬチャネルの共有を遂行することが周波数領域および時間領域の両方において起こることも可能である。
【０１７８】
図１８は、ＮＸアップリンクが実施形態によってどのようにＬＴＥ送信帯域幅の範囲内で送信されるかという第３の実施例を図示する概略図である。この実施例では、ＬＴＥアップリンク周波数チャネルの特定部分は、ＬＴＥ  ＵＬとＮＸ  ＵＬの間の時間領域においても共有される。
【０１７９】
本明細書において記載されている方法および配置が、様々な方法で行うことができ、組み合わせることができ、再配置することができることは理解されるであろう。
【０１８０】
例えば、実施形態は、ハードウェアにおいて、または、適切な処理回路による実行のためのソフトウェアにおいて、またはそれらの組み合わせで実施することができる。
【０１８１】
本明細書において記載されているステップ、機能、手順、モジュールおよび／またはブロックは、汎用電子回路部品および特定用途向け回路を含んで、ディスクリート回路または集積回路技術などのあらゆる従来技術を使用しているハードウェアにおいて行うことができる。
【０１８２】
別法として、または、補完するものとして、本明細書において記載されているステップ、機能、手順、モジュールおよび／またはブロックの少なくともいくつかは、適切な処理回路、例えば１つまたは複数のプロセッサまたは処理装置による実行のためのコンピュータプログラムなどのソフトウェアで行うことができる。
【０１８３】
処理回路の例としては、１つまたは複数のマイクロプロセッサ、１つまたは複数のデジタル信号プロセッサ（ＤＳＰ）、１つまたは複数の中央処理装置（ＣＰＵ）、ビデオ加速ハードウェアおよび／またはあらゆる適切なプログラム可能な論理回路、例えば１つまたは複数のフィールドプログラム可能ゲートアレイ（ＦＰＧＡ）または１つまたは複数のプログラム可能論理制御装置（ＰＬＣ）も含むが、これに限定されるものではない。
【０１８４】
提案される技術が実施されるいかなる従来の装置またはユニットの一般の処理能力も再利用することが可能であり得ることも理解すべきである。例えば既存のソフトウェアを再プログラムすることによって、または、新規なソフトウェアコンポーネントを追加することによって、既存のソフトウェアを再利用することも可能であり得る。
【０１８５】
図１９は、実施形態によるプロセッサメモリ実装に基づいて、ワイヤレス通信装置１００の実施例を図示する概略ブロック図である。この特定の実施例では、ワイヤレス通信装置１００はプロセッサ１１０およびメモリ１２０を含み、メモリ１２０はプロセッサ１１０によって実行可能な命令を含み、それによって、プロセッサはワイヤレス通信装置の動作を可能にしておよび／またはサポートするために動作する。
ワイヤレス通信装置１００は、通信回路１３０を含むこともできる。通信回路１３０は、ネットワークの他の装置および／またはネットワークノードとのワイヤードおよび／またはワイヤレス通信のための機能を含むことができる。特定の実施例では、通信回路１３０は、情報を送信および／または受信することを含む１つまたは複数の他のノードとの通信のための無線回路に基づいてもよい。通信回路１３０は、プロセッサ１１０および／またはメモリ１２０に相互接続することができる。例えば、通信回路１３０は、受信機、送信機、トランシーバ、入出力（Ｉ／Ｏ）回路、入力ポート（複数可）および／または出力ポート（複数可）のいずれも含むことができる。
【０１８６】
図２０は、実施形態によるプロセッサメモリ実装に基づいた、ネットワークユニット２００の実施例を図示する概略ブロック図である。この特定の実施例では、ネットワークユニット２００はプロセッサ２１０およびメモリ２２０を含み、メモリ２２０はプロセッサ２１０によって実行可能な命令を含み、それによって、プロセッサはネットワークユニットの動作を可能にしておよび／またはサポートするために動作する。
【０１８７】
ネットワークユニット２００は、通信回路２３０を含むこともできる。通信回路２３０は、ネットワークの他の装置および／またはネットワークノードとのワイヤードおよび／またはワイヤレス通信のための機能を含むことができる。特定の実施例では、通信回路２３０は、情報を送信および／または受信することを含む１つまたは複数の他のノードとの通信のための無線回路に基づいてもよい。通信回路２３０は、プロセッサ２１０および／またはメモリ２２０に相互接続することができる。
【０１８８】
図２１は、実施形態によるコンピュータ実装３００の実施例を図示する概略図である。この特定の実施例では、本明細書において記載されているステップ、機能、手順、モジュールおよび／またはブロックの少なくともいくつかは、コンピュータプログラム３２５、３３５で実行され、これは１つまたは複数のプロセッサ３１０を含む処理回路による実行のためのメモリ３２０へロードされる。プロセッサ（複数可）３１０およびメモリ３２０は互いに相互接続して、通常のソフトウェア実行を可能にする。任意選択の入出力装置３４０をプロセッサ（複数可）３１０および／またはメモリ３２０に相互接続することもでき、入力パラメータ（複数可）および／または結果として得られる出力パラメータ（複数可）などの関連データの入力および／または出力を可能とする。
【０１８９】
「プロセッサ」という用語は、プログラムコードまたはコンピュータプログラム命令を実行して特定の処理、決定または計算タスクを遂行することができるあらゆるシステムまたは装置として、一般的な意味において解釈されなければならない。
【０１９０】
１つまたは複数のプロセッサ３１０を含む処理回路はこのように設定されて、コンピュータプログラム３２５を実行すると、本明細書において記載されているような明確に規定された処理タスクを遂行する。
【０１９１】
処理回路は、上記のステップ、機能、手順および／またはブロックを実行するだけのための専用である必要はなく、他のタスクを実行することもできる。
【０１９２】
特定の実施形態では、コンピュータプログラム３２５、３３５は命令を含み、その命令は、少なくとも１つのプロセッサ３１０によって実行されると、プロセッサ（複数可）３１０に、
−  ワイヤレス通信装置（１０）の設定（複数可）を、ワイヤレス通信装置が第１の無線アクセス技術（ＲＡＴ）のアップリンク（ＵＬ）キャリアで、第２のＲＡＴのアップリンク周波数チャネルとオーバラップするアップリンク周波数チャネルでのＵＬキャリアの送信のために設定されるように遂行させ、
−  ワイヤレス通信装置（１０）の設定（複数可）を、ワイヤレス通信装置が第１のＲＡＴのダウンリンク（ＤＬ）キャリアで、第２のＲＡＴの周波数チャネルより高い第１のＲＡＴの周波数チャネルでのＤＬキャリアの受信ならびに復調および／または復号のために設定されるように遂行させる。
【０１９３】
別の実施形態では、コンピュータプログラム３２５、３３５は命令を含み、その命令は、少なくとも１つのプロセッサ３１０によって実行されると、プロセッサ（複数可）３１０に、ネットワークユニット（２０，３０）の設定（複数可）を、ネットワークユニットが第２の無線アクセス技術（ＲＡＴ）のアップリンク周波数チャネルとオーバラップするアップリンク周波数チャネルでの第１のＲＡＴのアップリンク（ＵＬ）キャリアの受信ならびに復調および／または復号のために設定されるように遂行させる。
【０１９４】
また別の実施形態では、コンピュータプログラム３２５、３３５は命令を含み、その命令は、少なくとも１つのプロセッサ３１０によって実行されると、プロセッサ（複数可）３１０に、第１の無線アクセス技術（ＲＡＴ）のアップリンクチャネルと第２のＲＡＴのアップリンクチャネルとの間のアップリンク周波数チャネルの時間および／または周波数リソース分割を決定させる。
【０１９５】
提案される技術はコンピュータプログラムを含むキャリアも提供し、このキャリアは、電子信号、光学信号、電磁信号、磁気信号、電気信号、無線信号、マイクロ波信号またはコンピュータ可読記憶媒体のうちの１つである。
【０１９６】
例えば、ソフトウェアまたはコンピュータプログラム３２５、３３５は、コンピュータ可読媒体３２０、３３０、特に不揮発性媒体に通常持ち込まれるか記憶されるコンピュータプログラム製品として実現することができる。コンピュータ可読媒体は、読出し専用メモリ（ＲＯＭ）、ランダムアクセスメモリ（ＲＡＭ）、コンパクトディスク（ＣＤ）、デジタル多用途ディスク（ＤＶＤ）、ブルーレイディスク、ユニバーサルシリアルバス（ＵＳＢ）メモリ、ハードディスクドライブ（ＨＤＤ）記憶装置、フラッシュメモリ、磁気テープまたはあらゆる他の従来の記憶装置も含むがこれに限らず、１つまたは複数の着脱可能であるか取り外し不可能な記憶装置を含むことができる。コンピュータプログラムはこのように、コンピュータまたは等価な処理デバイスの操作用メモリに、その処理回路による実行のためにロードすることができる。
【０１９７】
本明細書において示されるフロー図または複数のフロー図は、１つまたは複数のプロセッサによって実行されるときに、コンピュータフロー図または複数のコンピュータフロー図と考えることができる。対応する装置は機能モジュールのグループとして規定することができ、ここで、プロセッサによって実行される各ステップは機能モジュールに対応する。この場合、機能モジュールは、プロセッサ上で実行するコンピュータプログラムとして実装される。
【０１９８】
メモリにあるコンピュータプログラムはこうして、プロセッサによって実行されるときに、本明細書において記載されているステップおよび／またはタスクの少なくとも一部を実行するように設定される、適切な機能モジュールとして設定することができる。
【０１９９】
図２２は、実施形態によってワイヤレス通信装置の動作（複数可）を制御するための装置４００の実施例を図示する概略ブロック図である。
【０２００】
装置４００は、
−  ワイヤレス通信装置が第１の無線アクセス技術（ＲＡＴ）のアップリンク（ＵＬ）キャリアで、第２のＲＡＴのアップリンク周波数チャネルとオーバラップするアップリンク周波数チャネルでのＵＬキャリアの送信のために設定されるようにワイヤレス通信装置の設定（複数可）を遂行するための、アップリンク（ＵＬ）設定モジュール４１０と、
−  ワイヤレス通信装置が第１のＲＡＴのダウンリンク（ＤＬ）キャリアで、第２のＲＡＴの周波数チャネルより高い第１のＲＡＴの周波数チャネルでのＤＬキャリアの受信および復調および／または復号のために設定されるようにワイヤレス通信装置の設定（複数可）を遂行するための、ダウンリンク（ＤＬ）設定モジュール４２０と
と含む。
【０２０１】
図２３は、実施形態によるワイヤレス通信システムのネットワークユニットの動作（複数可）を制御するための装置５００の実施例を図示する概略ブロック図である。
【０２０２】
装置５００は、第１の無線アクセス技術（ＲＡＴ）のアップリンク（ＵＬ）キャリアの、第２のＲＡＴのアップリンク周波数チャネルとオーバラップするアップリンク周波数チャネルでの受信ならびに復調および／または復号のためにネットワークユニットが設定されるように、ネットワークユニットの設定（複数可）を遂行するための、設定モジュール５１０を含む。
【０２０３】
図２４は、実施形態によるワイヤレス通信システムの無線通信のための時間および／または周波数リソースの管理のための装置６００の実施例を図示する概略ブロック図である。
【０２０４】
装置６００は、第１の無線アクセス技術（ＲＡＴ）のアップリンクチャネルと第２のＲＡＴのアップリンクチャネルとの間のアップリンク周波数チャネルの、時間および／または周波数リソース分割を決定するための決定モジュール６１０を含む。
【０２０５】
あるいは、図２２、図２３および／または図２４のモジュール（複数可）を、関連したモジュール間の適切な相互接続を行うことで、主にハードウェアモジュールによって、または、代替的にハードウェアによって、実現することができる。特定の実施例は、１つまたは複数の適切に設定されたデジタル信号プロセッサおよび他の知られている電子回路、例えば専門機能を実行するために相互接続された別々の論理ゲートおよび／または前述のような特定用途向け集積回路（ＡＳＩＣ）を含む。使用可能なハードウェアの他の例は、入出力（Ｉ／Ｏ）回路および／または信号を受信および／または送信するための回路を含む。ソフトウェア対ハードウェアの範囲は、単に実装上の選択である。
【０２０６】
リソースがネットワーク上の遠隔位置に対するサービスとして届けられるネットワークノードおよび／またはサーバなどのネットワーク装置の計算サービス（ハードウェアまたはソフトウェア）を提供することは、ますます普及してきている。例えば、これは、本明細書において記載されているように、機能性が、１つまたは複数の別々の物理ノードまたはサーバへ分散することができるかまたは再配置することができることを意味する。機能性は、別々の物理ノード（複数可）に、すなわちいわゆるクラウドに置くことができる、１つまたは複数の共同で作動する物理および／または仮想マシンに再配置するかまたは分散させることができる。これはクラウドコンピューティングとも呼ばれることがあり、それはネットワーク、サーバ、ストレージ、アプリケーションおよび汎用であるかカスタマイズされたサービスなどの、設定可能な計算リソースのプールへのユビキタスなオンデマンドのネットワークアクセスを可能にするためのモデルである。
【０２０７】
この文脈において有用であり得る仮想化の異なる形があり、以下のうち１つまたは複数を含む。
・  カスタマイズされたか一般的なハードウェア上の仮想化されたソフトウェア実行へのネットワーク機能性の統合。これは、ネットワーク機能仮想化と呼ばれることがある。
・  別々のハードウェア上で実行する、オペレーティングシステムを含む１つまたは複数のアプリケーションスタックの、単一のハードウェアプラットフォーム上へのコロケーション。これは、システム仮想化またはプラットフォーム仮想化と呼ばれることがある。
・  いくつかの高度なドメインレベルスケジューリングおよび調整技術を使用してシステムリソース利用を増加させる目的を有する、ハードウェアおよび／またはソフトウェアリソースのコロケーション。これは、リソース仮想化、または集中化して調整したリソースプーリングと呼ばれることがある。
【０２０８】
いわゆる一般的なデータセンタに機能性を集中するのが望ましいことが多いが、他のシナリオでは、ネットワークの異なる部分にわたって機能性を分散させることが実際に有益であり得る。
【０２０９】
ネットワークユニットまたはネットワーク装置（ＮＤ）は一般に、ネットワークの他の電子装置に通信可能に接続している電子装置とみなすことができる。
【０２１０】
例えば、ネットワーク装置は、ハードウェア、ソフトウェアまたはそれらの組み合わせで実装することができる。例えば、ネットワーク装置は、特殊目的ネットワーク装置もしくは汎用ネットワーク装置またはそのハイブリッドであってもよい。
【０２１１】
特殊目的ネットワーク装置は、本明細書において開示される特徴または機能の１つまたは複数を提供するソフトウェアの実行のために、カスタムメイドの処理回路および専用のオペレーティングシステム（ＯＳ）を使用することができる。
【０２１２】
汎用ネットワーク装置は、本明細書において開示される特徴または機能の１つまたは複数を提供するように設定されるソフトウェアの実行のために、一般の在庫品の（ＣＯＴＳ）プロセッサおよび標準ＯＳを使用することができる。
【０２１３】
例えば、特殊目的ネットワーク装置は、通常１つまたは複数のプロセッサのセットを含む処理または計算リソース（複数可）を含むハードウェア、および物理ポートとも呼ばれることがある物理ネットワークインターフェース（ＮＩ）、ならびにソフトウェアを記憶した非一時的機械可読記憶媒体を含むことができる。物理ＮＩは、例えばワイヤレスネットワークインターフェース制御装置（ＷＮＩＣ）によってワイヤレスで、または、ネットワークインターフェース制御装置（ＮＩＣ）に接続している物理ポートに対するケーブルのプラギングで、ネットワーク接続を行う、ネットワーク装置のハードウェアとみなすことができる。動作中に、ソフトウェアはハードウェアによって実行されて、１つまたは複数のソフトウェアインスタンスのセットをインスタンス化することができる。各ソフトウェアインスタンス（複数可）およびそのソフトウェアインスタンスを実行するハードウェアのその部分は、別々の仮想ネットワーク要素を形成することができる。
【０２１４】
別の例として、汎用ネットワーク装置は、例えば１つまたは複数の、多くの場合ＣＯＴＳプロセッサであるプロセッサのセット、およびネットワークインターフェース制御装置（ＮＩＣ）（複数可）、ならびにソフトウェアを記憶した非一時的機械可読記憶媒体を含む、ハードウェアを含むことができる。動作中に、プロセッサ（複数可）はソフトウェアを実行して、１つまたは複数のアプリケーションの１つまたは複数のセットをインスタンス化する。一実施形態が仮想化を実装しない一方で、別の実施形態は異なる形の仮想化、例えば仮想化レイヤおよびソフトウェアコンテナによって表されるものを使用することができる。例えば、そのような別の実施形態は、オペレーティングシステムレベル仮想化を実装し、その場合に仮想化レイヤは、それぞれをアプリケーションのセットのうちの１つを実行するために使うことができる複数のソフトウェアコンテナの作成を考慮に入れるオペレーティングシステム（またはベースオペレーティングシステムで実行しているシム）のカーネルを表す。例示の実施形態において、各ソフトウェアコンテナ（仮想化エンジン、仮想プライベートサーバまたはＪａｉｌとも呼ばれる）は、ユーザ空間インスタンス（通常は仮想記憶空間）である。これらのユーザ空間インスタンスは、互いに分離していてもよく、オペレーティングシステムが実行されるカーネル空間と分離していてもよく、明示的に許容されない限り、所与のユーザ空間で動作しているアプリケーションのセットは他のプロセスのメモリにアクセスすることができない。別の代替実施形態は完全な仮想化を実装し、その場合、１）仮想化レイヤはハイパーバイザ（仮想マシンモニタ（ＶＭＭ）と呼ばれることがある）を表し、つまり、ハイパーバイザはホストオペレーティングシステムの上位で実行され、そして、２）ソフトウェアコンテナは、ハイパーバイザによって実行されて、ゲストオペレーティングシステムを含むことができる、仮想マシンと呼ばれるソフトウェアコンテナの厳密に分離した形をそれぞれ表す。
【０２１５】
ハイパーバイザは、各種の仮想化されたインスタンスおよび場合によっては実際の物理ハードウェアを作成して管理する役割を果たす、ソフトウェア／ハードウェアである。ハイパーバイザは、下にあるリソースを管理して、仮想化されたインスタンスとしてそれらを示す。ハイパーバイザがシングルプロセッサとして見えるように仮想化するものは、実際は複数の別々のプロセッサを含むことができる。オペレーティングシステムの観点からは、仮想化されたインスタンスは、実際のハードウェアコンポーネントであるように見える。
【０２１６】
仮想マシンは、あたかも物理的な、仮想化されていないマシンで実行しているかのように、プログラムを実行する、物理マシンのソフトウェア実装であり、そして、アプリケーションは、それらが「裸金属の」ホスト電子装置上の実行とは全く異なって仮想マシンで実行されているということを一般に認識しないが、いくつかのシステムは、オペレーティングシステムまたはアプリケーションが最適化目的のための仮想化を認識することができるようにする準仮想化を提供する。
【０２１７】
１つまたは複数のアプリケーションの１つまたは複数のセットならびに仮想化レイヤのインスタンス化および、実装されている場合はソフトウェアコンテナは、まとめてソフトウェアインスタンス（複数可）と呼ばれる。アプリケーション、実装されている場合は対応するソフトウェアコンテナ、およびそれらを実行するハードウェアのその部分の各セット（それが、ソフトウェアコンテナによって時間的に共有されるハードウェアのその実行および／またはタイムスライス専用のハードウェアであっても）は、別々の仮想ネットワーク要素（複数可）を形成する。
【０２１８】
仮想ネットワーク要素（複数可）は、Ｖｉｒｔｕａｌ  Ｎｅｔｗｏｒｋ  Ｅｌｅｍｅｎｔ（ＶＮＥ）（複数可）と比較して、類似の機能性を実行することができる。ハードウェアのこの仮想化は、ネットワーク機能仮想化（ＮＦＶ：Ｎｅｔｗｏｒｋ  Ｆｕｎｃｔｉｏｎ  Ｖｉｒｔｕａｌｉｚａｔｉｏｎ）と呼ばれる。このように、ＮＦＶは、データセンタ、ＮＤおよびカスタマ施設内機器（ＣＰＥ：Ｃｕｓｔｏｍｅｒ  Ｐｒｅｍｉｓｅ  Ｅｑｕｉｐｍｅｎｔ）に置くことができる業界標準の大容量サーバハードウェア、物理スイッチおよび物理記憶装置上に、多くのネットワーク装置タイプを統合するために用いることができる。しかしながら、異なる実施形態は、ソフトウェアコンテナの１つまたは複数を異なる形で実装することができる。例えば、実施形態がＶＮＥに対応する各ソフトウェアコンテナで例示される一方で、別の実施形態は、ソフトウェアコンテナとＶＮＥの間のこの対応関係またはマッピングをより微細な粒度レベルで実装することができる。そして、ソフトウェアコンテナのＶＮＥとの対応に関して本明細書において記載されている技術が、粒度のこのようなより微細なレベルが使われる実施形態にもあてはまることを理解すべきである。
【０２１９】
さらに別の実施形態によれば、ハイブリッドネットワーク装置が提供され、それは、ネットワーク装置において、例えばネットワーク装置ＮＤの中のカードまたは回路基板において、カスタム処理回路／専用ＯＳおよびＣＯＴＳプロセッサ／標準ＯＳの両方を含む。このようなハイブリッドネットワーク装置の特定の実施形態において、プラットフォーム仮想マシン（ＶＭ）、例えば特殊目的ネットワーク装置の機能性を実装するＶＭは、ハイブリッドネットワーク装置に存在するハードウェアに、準仮想化を提供することができる。
【０２２０】
上記の実施形態は単に実施例として与えられるだけであり、そして、提案される技術がそれに限定されないことを理解すべきである。各種の変更、組み合わせおよび変形を、添付の請求の範囲に規定された本発明の範囲を逸脱しない範囲で実施形態に行うことができることは、当業者によって理解される。特に、技術的に可能な場合、異なる実施形態の異なる一部ソリューションは他の設定に組み合わせることができる。
【図１】
2020113996.tif 000004
【図２】
2020113996.tif 000005
【図３】
2020113996.tif 000006
【図４】
2020113996.tif 000007
【図５】
2020113996.tif 000008
【図６】
2020113996.tif 000009
【図７】
2020113996.tif 000010
【図８Ａ】
2020113996.tif 000011
【図８Ｂ】
2020113996.tif 000012
【図９】
2020113996.tif 000013
【図１０】
2020113996.tif 000014
【図１１】
2020113996.tif 000015
【図１２】
2020113996.tif 000016
【図１３】
2020113996.tif 000017
【図１４】
2020113996.tif 000018
【図１５】
2020113996.tif 000019
【図１６】
2020113996.tif 000020
【図１７】
2020113996.tif 000021
【図１８】
2020113996.tif 000022
【図１９】
2020113996.tif 000023
【図２０】
2020113996.tif 000024
【図２１】
2020113996.tif 000025
【図２２】
2020113996.tif 000026
【図２３】
2020113996.tif 000027
【図２４】
2020113996.tif 000028
【手続補正書】
【提出日】令和2年4月13日(2020.4.13)
【手続補正１】
【補正対象書類名】特許請求の範囲
【補正対象項目名】全文
【補正方法】変更
【補正の内容】
【特許請求の範囲】
【請求項１】
ワイヤレス通信システムの動作のために設定されるワイヤレス通信装置（１０，１００，３００）であって、
前記ワイヤレス通信装置（１０，１００，３００）は、第１の無線アクセス技術（ＲＡＴ）のアップリンク（ＵＬ）キャリアによって設定され、
前記ワイヤレス通信装置（１０，１００，３００）は、前記第１のＲＡＴのダウンリンク（ＤＬ）キャリアによって設定され、
前記ワイヤレス通信装置（１０，１００，３００）は、第２のＲＡＴのアップリンク周波数チャネルとオーバラップするアップリンク周波数チャネルで前記第１のＲＡＴの前記ＵＬキャリアを送信するように設定され、
前記ワイヤレス通信装置（１０，１００，３００）は、前記第２のＲＡＴの周波数チャネルより高い前記第１のＲＡＴの周波数チャネルの前記第１のＲＡＴの前記ＤＬキャリアを受信し、復調および／または復号するように設定される、
ワイヤレス通信装置（１０，１００，３００）。
【請求項２】
ワイヤレス通信システムのワイヤレス通信装置（１０，１００，３００）を作動させる方法であって、前記方法は、
−  第１の無線アクセス技術（ＲＡＴ）のダウンリンク（ＤＬ）キャリアのダウンリンク（ＤＬ）シグナリングを、第２のＲＡＴの周波数チャネルより高い前記第１のＲＡＴの周波数チャネルで受信し、復調および／または復号すること（Ｓ１）と、
−  前記第１のＲＡＴのアップリンク（ＵＬ）キャリアにおける送信のためのアップリンク（ＵＬ）シグナリングを準備すること（Ｓ２）と、
−  前記第２のＲＡＴのアップリンク周波数チャネルとオーバラップするアップリンク周波数チャネルで前記第１のＲＡＴの前記ＵＬキャリアの前記ＵＬシグナリングを送信すること（Ｓ３）と
を含む方法。
【請求項３】
ワイヤレス通信システムの動作のために設定されるネットワークユニット（２０，２００，３００）であって、
前記ネットワークユニット（２０，２００，３００）は、第１の無線アクセス技術（ＲＡＴ）の基地局であり、
前記ネットワークユニット（２０，２００，３００）は、第２のＲＡＴのアップリンク周波数チャネルとオーバラップするアップリンク周波数チャネルで前記第１のＲＡＴのアップリンク（ＵＬ）キャリアを受信し、復調および／または復号するように設定され、
前記ネットワークユニット（２０，２００，３００）は、前記第２のＲＡＴの周波数チャネルより高い前記第１のＲＡＴの周波数チャネルで前記第１のＲＡＴのダウンリンク（ＤＬ）キャリアを送信するように設定される、
ネットワークユニット（２０，２００，３００）。
【請求項４】
ワイヤレス通信システムの動作のために設定されるネットワークユニット（３０，２００，３００）であって、
前記ネットワークユニット（３０，２００，３００）は、第２の無線アクセス技術（ＲＡＴ）の基地局であり、
前記ネットワークユニット（３０，２００，３００）は、前記第２のＲＡＴのアップリンク周波数チャネルとオーバラップするアップリンク周波数チャネルで第１のＲＡＴのアップリンク（ＵＬ）キャリアを受信し、復調および／または復号するように設定され、
前記ネットワークユニット（３０，２００，３００）は、前記第１のＲＡＴの前記アップリンク（ＵＬ）キャリアに関連した情報を前記第１のＲＡＴの基地局に転送するようにさらに設定される、
ネットワークユニット（３０，２００，３００）。
【請求項５】
ワイヤレス通信システムのネットワークユニット（２０，２００，３００）を作動させる方法であって、前記ネットワークユニットは第１の無線アクセス技術（ＲＡＴ）の基地局であり、前記方法は、
−  第２のＲＡＴのアップリンク周波数チャネルとオーバラップするアップリンク周波数チャネルで前記第１のＲＡＴのアップリンク（ＵＬ）キャリアを受信し、復調および／または復号すること（Ｓ１１）と、
−  前記第２のＲＡＴの周波数チャネルより高い前記第１のＲＡＴの周波数チャネルで前記第１のＲＡＴのダウンリンク（ＤＬ）キャリアを送信すること（Ｓ１２）と
を含む方法。
【請求項６】
ワイヤレス通信システムのネットワークユニット（３０，２００，３００）を作動させる方法であって、前記ネットワークユニットは第２の無線アクセス技術（ＲＡＴ）の基地局であり、前記方法は、
−  前記第２のＲＡＴのアップリンク周波数チャネルとオーバラップするアップリンク周波数チャネルで第１のＲＡＴのアップリンク（ＵＬ）キャリアを受信し、復調および／または復号すること（Ｓ２１）と、
−  前記第１のＲＡＴの前記アップリンク（ＵＬ）キャリアに関連した情報を前記第１のＲＡＴの基地局に転送すること（Ｓ２２）と
を含む方法。
【請求項７】
ワイヤレス通信システムの無線通信のための時間および／または周波数リソースの管理を実行するように設定されるネットワークユニット（２０，３０，４０，２００，３００）であって、
前記ネットワークユニット（２０，３０，４０，２００，３００）は、第１の無線アクセス技術（ＲＡＴ）のアップリンクチャネルと第２のＲＡＴのアップリンクチャネルとの間のアップリンク周波数チャネルの時間および／または周波数リソース分割を決定するように設定される、
ネットワークユニット（２０，３０，４０，２００，３００）。
【請求項８】
ワイヤレス通信システムの無線通信のための時間および／または周波数リソースの管理のための方法であって、
前記方法は、第１の無線アクセス技術（ＲＡＴ）のアップリンクチャネルと第２のＲＡＴのアップリンクチャネルとの間のアップリンク周波数チャネルの時間および／または周波数リソース分割を決定すること（Ｓ３１）を含む、
方法。
【請求項９】
命令を含むコンピュータプログラム（３２５，３３５）であって、前記命令は、少なくとも１つのプロセッサによって実行されると、前記少なくとも１つのプロセッサに、
−  ワイヤレス通信装置（１０）の設定（複数可）を、前記ワイヤレス通信装置が第１の無線アクセス技術（ＲＡＴ）のアップリンク（ＵＬ）キャリアで、第２のＲＡＴのアップリンク周波数チャネルとオーバラップするアップリンク周波数チャネルでの前記ＵＬキャリアの送信のために設定されるように遂行させ、
−  前記ワイヤレス通信装置（１０）の設定（複数可）を、前記ワイヤレス通信装置が前記第１のＲＡＴのダウンリンク（ＤＬ）キャリアで、前記第２のＲＡＴの周波数チャネルより高い前記第１のＲＡＴの周波数チャネルでの前記ＤＬキャリアの受信ならびに復調および／または復号のために設定されるように遂行させる、コンピュータプログラム（３２５，３３５）。
【請求項１０】
命令を含むコンピュータプログラム（３２５，３３５）であって、前記命令は、少なくとも１つのプロセッサによって実行されると、前記少なくとも１つのプロセッサに、
−  ネットワークユニット（２０，３０）の設定（複数可）を、前記ネットワークユニットが第２の無線アクセス技術（ＲＡＴ）のアップリンク周波数チャネルとオーバラップするアップリンク周波数チャネルでの第１のＲＡＴのアップリンク（ＵＬ）キャリアの受信ならびに復調および／または復号のために設定されるように遂行させる、コンピュータプログラム（３２５，３３５）。
【請求項１１】
少なくとも１つのプロセッサによって実行されると、第１の無線アクセス技術（ＲＡＴ）のアップリンクチャネルと第２のＲＡＴのアップリンクチャネルとの間のアップリンク周波数チャネルの時間および／または周波数リソース分割を前記少なくとも１つのプロセッサに決定させる命令を含む、コンピュータプログラム（３２５，３３５）。
【外国語明細書】
2020113996000001.pdf